(57)【要約】  電源が、蓄電装置および負荷と接続されたシステムにおいて、電源から供給する電力を平準化する電力平準化制御装置であって、蓄電残量取得部と、目標決定部と、制御部とを有する。蓄電残量取得部は、蓄電装置の蓄電残量を監視時間毎に取得する。目標決定部は、平準化周期の終了時に、蓄電残量取得部が取得した蓄電残量を基に、周期の蓄電残量の遷移を代表する蓄電残量代表値を算出し、蓄電残量代表値に基づき、現在の平準化目標値に対する変化量を決定する。目標決定部は、決定した変化量分変化させた次の前記周期で用いる電力平準化のための平準化目標値を決定する。制御部は、目標決定部により決定された次の周期で用いる電力平準化のための平準化目標値を基に、電源及び蓄電装置から負荷へ供給する電力を制御する。これにより、電源および負荷の電力使用状況に応じた平準化制御ができる。
2013027272.tif 000002
【特許請求の範囲】
【請求項１】
電源が、蓄電装置および負荷と接続されたシステムにおいて、前記電源から供給する電力を平準化する電力平準化制御装置であって、
前記蓄電装置の蓄電残量を監視時間毎に取得する蓄電残量取得部と、
前記負荷の電力需要の高い期間と低い期間とが交互に発生すると予測される周期の終了時に、前記蓄電残量取得部が取得した前記蓄電残量を基に、前記周期の前記蓄電残量の遷移を代表する蓄電残量代表値を算出し、前記蓄電残量代表値に基づき、現在の平準化目標値に対する変化量を決定することにより前記変化量分変化させた次の前記周期で用いる電力平準化のための平準化目標値を決定する目標決定部と、
前記目標決定部により決定された次の前記周期で用いる電力平準化のための平準化目標値を基に、前記電源及び前記蓄電装置から前記負荷へ供給する電力を制御する制御部と
を有することを特徴とする電力平準化制御装置。
【請求項２】
前記目標決定部は、
前記平準化周期における前記蓄電残量代表値として、前記蓄電残量の最大値、最小値、最初の値、および最後の値のうちの少なくとも１つを算出し、
抽出した値に基づき、前記最大値と予め決められた第１の閾値との第１の差分、前記最小値と予め決められた第２の閾値との第２の差分、および前記最初の値と前記最後の値との第３の差分のうちの少なくとも１つを算出し、
算出した前記差分を平準化周期で除した値を現在の値に対する変化量と決定することにより次の周期で用いる平準化目標値を決定することを特徴とする請求項１に記載の電力平準化制御装置。
【請求項３】
前記第１の閾値は、前記蓄電残量使用上限であり、前記第２の閾値は、蓄電残量使用下限であることを特徴とする請求項２に記載の電力平準化制御装置。
【請求項４】
前記電源からの受電電力、前記受電電力を監視時間毎に予め決められた単位時間まで累積した累積受電電力量、前記負荷で消費される消費電力および前記消費電力を予め決められた単位時間まで累積した累積消費電力量の少なくともいずれか一つを取得する電力取得部と、
取得された前記受電電力、前記累積受電電力量、前記消費電力、および前記消費電力量のいずれか少なくとも一つから、それぞれの単位時間当たりの平均電力または電力量を計算する電力計算部と、
計算された前記平均電力または電力量を記憶する電力記憶部と、
をさらに有し
前記目標決定部は、さらに前記電力記憶部が記憶した前記平均電力または前記電力量の内の前記平均電力または前記電力量の遷移を代表する値に基づき、次の前記周期で用いる電力平準化のための平準化目標値の現在の平準化目標値に対する変化量を決定することにより次の周期で用いる平準化目標値を決定することを特徴とする請求項1から請求項３のいずれかに記載の電力平準化制御装置。
【請求項５】
前記目標決定部は、前記周期の前記蓄電残量代表値に基づく第１の変化量候補と、前記周期の前記平均電力または前記平均電力量の遷移を代表する値に基づく第２の変化量候補とのいずれか大きいほうを前記変化量として決定することにより次の周期で用いる平準化目標値を決定することを特徴とする請求項４に記載の電力平準化制御装置。
【請求項６】
前記目標決定部は、前記電力記憶部が記憶した単位時間当たりの平均電力または単位時間当たりの電力量の内の前記平均電力の最大値または前記電力量の最大値に基づき、次の前記周期で用いる電力平準化のための平準化目標値の現在の平準化目標値に対する変化量を決定することにより次の周期で用いる平準化目標値を決定することを特徴とする請求項４または請求項５に記載の電力平準化制御装置。
【請求項７】
前記目標決定部は、前記電力記憶部が記憶した単位時間当たりの平均電力の最大値または単位時間当たりの電力量の最大値と、前記平準化目標値の現在の値との差を、次の前記周期で用いる電力平準化のための平準化目標値の現在の平準化目標値に対する変化量と決定することにより次の周期で用いる平準化目標値を決定することを特徴とする請求項６に記載の電力平準化制御装置。
【請求項８】
前記第２の差分と、前記第３の差分のいずれか大きい方を前記平準化周期で除した値に基づき増加量を決定することにより次の周期で用いる平準化目標値を決定することを特徴とする請求項２から請求項６のいずれかに記載の電力平準化制御装置。
【請求項９】
前記第１の差分と、前記第２の差分のいずれか小さい方を前記平準化周期で除した値に基づき減少量を決定することにより次の周期で用いる平準化目標値を決定することを特徴とする請求項２から請求項７のいずれかに記載の電力平準化制御装置。
【請求項１０】
電源が、蓄電装置および負荷と接続されたシステムにおいて、前記電源から供給する電力を平準化する電力平準化制御方法であって、
前記蓄電装置の蓄電残量を監視時間毎に取得し、
前記負荷の電力需要の高い期間と低い期間とが交互に発生すると予測される周期の終了時に、取得した前記蓄電残量を基に、前記周期の前記蓄電残量の遷移を代表する蓄電残量代表値を算出し、前記蓄電残量代表値に基づき、現在の平準化目標値に対する変化量を決定することにより前記変化量分変化させた次の前記周期で用いる電力平準化のための平準化目標値を決定し、
決定された前記変化量分変化させた次の前記周期で用いる電力平準化のための平準化目標値を基に、前記電源及び前記蓄電装置から前記負荷へ供給する電力を制御することを特徴とする電力平準化制御方法。
【請求項１１】
前記平準化目標値を決定する処理は、
前記平準化周期における前記蓄電残量代表値として、前記蓄電残量の最大値、最小値、最初の値、および最後の値のうちの少なくとも１つを算出し、
抽出した値に基づき、前記最大値と予め決められた第１の閾値との第１の差分、前記最小値と予め決められた第２の閾値との第２の差分、および前記最初の値と前記最後の値との第３の差分のうちの少なくとも１つを算出し、
算出した前記差分を平準化周期で除した値を現在の値に対する変化量と決定することにより次の周期で用いる平準化目標値を決定することを特徴とする請求項１０に記載の電力平準化制御方法。
【請求項１２】
前記第１の閾値は、前記蓄電残量使用上限であり、前記第２の閾値は、蓄電残量使用下限であることを特徴とする請求項１１に記載の電力平準化制御方法。
【請求項１３】
さらに、
前記電源からの受電電力または電力量、または前記負荷で消費される電力または電力量を取得し、
前記電力取得部の取得値から単位時間当たりの平均電力または単位時間当たりの電力量を計算して記憶し、
計算された前記平均電力または前記電力量を記憶し、
記憶された前記平均電力または前記電力量の内の前記平均電力または前記電力量の遷移を代表する値に基づき、現在の平準化目標値に対する変化量を決定することにより前記変化量分変化させた次の前記周期で用いる電力平準化のための平準化目標値を決定することを特徴とする請求項１０から請求項１２のいずれかに記載の目標値変化量決定方法。
【請求項１４】
前記平準化目標値を決定する処理は、前記周期の前記蓄電残量代表値に基づく第１の変化量候補と、前記周期の前記平均電力または前記平均電力量の遷移を代表する値に基づく第２の変化量候補とのいずれか大きいほうを前記変化量として決定することにより次の前記周期で用いる電力平準化のための平準化目標値を決定することを特徴とする請求項１３に記載の電力平準化制御方法。
【請求項１５】
前記平準化目標値を決定する処理は、
前記電力記憶部が記憶した単位時間当たりの平均電力または単位時間当たりの電力量の内の前記平均電力の最大値または前記電力量の最大値に基づき、現在の平準化目標値に対する変化量を決定することにより次の周期で用いる平準化目標値を決定することを特徴とする請求項１３または請求項１４に記載の電力平準化制御方法。
【発明の詳細な説明】
【技術分野】
【０００１】
本発明は、電力平準化制御装置、電力平準化制御方法に関する。
【背景技術】
【０００２】
需要電力の傾向は、さまざまな要因で変わる。このため、電力設備は、電力需要が最大のときでも正常に動作可能なように、需要ピークに合わせて設計される。このような電力設備においては、環境問題やコストの問題などに鑑みて、蓄電装置を利用して需要の大きい時に蓄電電力で需要を賄い、需要の小さい時に蓄電装置に電力を蓄えるようにして平準化を行い、電力需要ピークを下げるようにすることが試みられている。このように需要ピークを下げ、需要の変動を平準化できれば、例えば出力変動を極力行わない運用形態の発電などの需要負担率を上げることができ、二酸化炭素（ＣＯ２）排出量低減や、コスト削減の可能性も広がる。【０００３】
蓄電装置を用いた平準化制御においては、出力目標値を設け、負荷の需要電力が出力目標値よりも小さいときには余剰分を蓄電装置に充電し、需要電力が出力目標値よりも大きいときには、不足分を蓄電装置から放電するようにすることがある。このとき、負荷が実際に使用する電力量を測定し、許容範囲よりも乖離しているときに蓄電装置の放電量の計画を変更することにより、電源の負担を均一にするようにした例がある。電源の出力と蓄電装置の蓄電量とを検出し、予め設定された期間の出力の平均値を蓄電量に応じて設定された目標値で補正して、出力目標値を設定している例も知られている。また、使用電力の情報を元にデマンド時限開始から現在までの使用電力の平均値を算出し、平均値が第１の所定値を越えると蓄電装置を放電し、第２の所定値を下回ると充電する例もある。
【先行技術文献】
【特許文献】
【０００４】
【特許文献１】特開平１１−４１８３１号公報
【特許文献２】特開２００２−１７０４４号公報
【特許文献３】特開２００３−２９９２４７号公報
【発明の概要】
【発明が解決しようとする課題】
【０００５】
ところで、上記のような平準化制御を行う際、出力目標値（以下、平準化目標値という）をどのように定めるかは、電力設備の運用上重要である。すなわち、平準化目標値が高すぎれば、電力需要に対して供給電力が過多気味になり、蓄電装置の放電量が減少することにより、電力需要のピークを蓄電装置の放電により低下させる効果が低下する。一方、平準化目標値が低すぎれば、蓄電装置が空になり、電力需要のピーク値が高くなってしまう。よって、平準化目標値は、負荷の電力使用状況に合わせて適時見直すことが好ましい。このとき、平準化目標値を変化させる量は、電力設備や負荷の電力使用状況に則して決定することが好ましい。【０００６】
しかしながら、放電量の計画を変更する例では、電力使用量の変化の予測と実際の使用量の測定値とに基づき計画を修正するが、予測が必ずしも適切であるとは限らず、適切に計画を変更できるとは限らない。他の例では、具体的にどのように変化量を定めるのか不明である。【０００７】
そこで本発明は、電力設備および負荷の電力使用状況に適した平準化目標値を決定することが可能な平準化目標値変化量決定装置、平準化目標値変化量決定方法を提供することを目的とする。
【課題を解決するための手段】
【０００８】
そして、ひとつの態様である装置は、電源が、蓄電装置および負荷と接続されたシステムにおいて、電源から供給する電力を平準化する電力平準化制御装置であって、蓄電残量取得部と、目標決定部と、制御部とを有する。蓄電残量取得部は、蓄電装置の蓄電残量を監視時間毎に取得する。目標決定部は、負荷の電力需要の高い期間と低い期間とが交互に発生すると予測される周期の終了時に、蓄電残量取得部が記憶した蓄電残量を基に、前記周期の蓄電残量の遷移を代表する蓄電残量代表値を算出し、前記蓄電残量代表値に基づき、現在の平準化目標値に対する変化量を決定する。また、目標決定部は、決定した変化量分変化させた次の前記周期で用いる電力平準化のための平準化目標値を決定する。制御部は、目標決定部により決定された次の周期で用いる電力平準化のための平準化目標値を基に、電源及び蓄電装置から負荷へ供給する電力を制御することを特徴とするものである。【０００９】
また、ひとつの態様である方法は、電源が、蓄電装置および負荷と接続されたシステムにおいて、電源から供給する電力を平準化する電力平準化制御方法であって、蓄電装置の蓄電残量を監視時間毎に取得する。また、負荷の電力需要の高い期間と低い期間とが交互に発生すると予測される周期の終了時に、取得した蓄電残量を基に、前記周期の前記蓄電残量の遷移を代表する蓄電残量代表値を算出し、前記蓄電残量代表値に基づき、現在の平準化目標値に対する変化量を決定する。さらに、変化量分変化させた次の前記周期で用いる電力平準化のための平準化目標値を決定する。決定された変化量分変化させた次の前記周期で用いる電力平準化のための平準化目標値を基に、前記電源及び前記蓄電装置から前記負荷へ供給する電力を制御することを特徴とするものである。
【発明の効果】
【００１０】
本発明の態様によれば、電力設備および負荷の電力使用状況に適した平準化目標値を決定することが可能、即ち、よりピーク削減効果の高い平準化制御装置、平準化制御方法を提供することができる。
【図面の簡単な説明】
【００１１】
【図１】第１の実施の形態による電力平準化システムを示す図である。
【図２】第１の実施の形態による電力平準化制御を概念的に示した図である。
【図３】第１の実施の形態による電力平準化制御の一例を示す図である。
【図４】第１の実施の形態による平準化周期における電力平準化制御の一例を説明する図である。
【図５】第１の実施の形態による蓄電残量が不足している場合の平準化制御の一例を示す図である。
【図６】第１の実施の形態による蓄電残量が過多の場合の平準化制御の一例を示す図である。
【図７】第１の実施の形態による平準化目標値を減少させる場合の変化量決定方法を示す概念図である。
【図８】第１の実施の形態による電力平準化システムの動作を示すフローチャートである。
【図９】第１の実施の形態による電力平準化システムの動作を示すフローチャートである。
【図１０】第１の実施の形態による電力平準化システムの動作を示すフローチャートである。
【図１１】第１の実施の形態による平準化目標値の増加量決定処理を示すフローチャートである。
【図１２】第１の実施の形態による拡張蓄電残量について説明する図である。
【図１３】第１の実施の形態による平準化目標値の増加量決定の処理を説明する図である。
【図１４】第１の実施の形態による平準化目標値の減少量決定の処理を示すフローチャートである。
【図１５】第１の実施の形態による平準化目標値の減少量決定の処理を説明する図である。
【図１６】第１の実施の形態の変形例による増加量決定処理を示すフローチャートである。
【図１７】第１の実施の形態の変形例による平準化目標値の増加量決定の処理を説明する図である。
【図１８】第１の実施の形態の変形例による平準化目標値の増加量決定の処理を説明する図である。
【図１９】第１の実施の形態の変形例による減少量決定処理を示すフローチャートである。
【図２０】第２の実施の形態による電力平準化システムの動作を示すフローチャートである。
【図２１】第２の実施の形態による電力平準化システムの動作を示すフローチャートである。
【図２２】第２の実施の形態の変形例による増加量決定処理を示すフローチャートである。
【図２３】第２の実施の形態による２つの連続する平準化周期Ｔ０における累積電力量Ｅｉｎ、負荷電力Ｐｌ、および蓄電残量Ｂｒの変化の一例を示す図である。
【図２４】第２の実施の形態の変形例による減少量決定処理を示すフローチャートである。
【図２５】第２の実施の形態による２つの連続する平準化周期Ｔ０における累積電力量Ｅｉｎ、負荷電力Ｐｌ、および蓄電残量Ｂｒの変化の一例を示す図である。
【図２６】標準的なコンピュータの構成を示す図である。
【発明を実施するための形態】
【００１２】
（第１の実施の形態）
以下、実施の形態を図面に基づいて説明する。まず、図１から図３を参照しながら、第１の実施の形態による電力平準化システム１の構成および電力平準化制御の概要について説明する。図１は、第１の実施の形態による電力平準化システム１を示す図である。電力平準化システム１は、電源３に、蓄電装置７および変動負荷１３がスイッチ５を介して接続されるとともに、スイッチ５の動作を制御するための平準化制御部２０を備えている。
【００１３】
電源３は、商用電源である。スイッチ５は、電源３と蓄電装置７および変動負荷１３との間に開閉可能に接続され、平準化制御部２０に制御されて接続を開閉することにより、電源３と、蓄電装置７および変動負荷１３との間の接続を切り換える。蓄電装置７は、スイッチ５と変動負荷１３とに接続され、受電電力計測部９、蓄電機１１、および蓄電残量計測部１２を有している。受電電力計測部９は、電源３からの受電電力を計測し、平準化制御部２０に出力する。蓄電機１１は、スイッチ５の開閉に応じて、電源３から受電する電力の一部を充電しつつ、または放電することにより変動負荷１３に電力を供給する。蓄電残量計測部１２は、蓄電機１１の蓄電残量を計測し、平準化制御部２０に出力する。変動負荷１３は、一般家庭や企業など、電力供給を受けている消費電力が変動する負荷である。尚、図１において、電源３の出力、蓄電機１１の入出力、変動負荷１３の入力が交流電力用と直流電力用で異なる場合は、適宜交流／直流変換器が挿入される。
【００１４】
平準化制御部２０は、目標決定部２２、記憶部２４およびスイッチ制御部２６を有している。目標決定部２２は、後述の記憶部２４に記憶された蓄電残量、場合によってはさらに受電電力に基づき平準化目標値を決定し、スイッチ制御部２６に出力する。また、目標決定部２２は、蓄電残量、および決定した平準化目標値を記憶部２４に記憶させる。さらに、目標決定部２２は、図示せぬ平準化周期タイマ、デマンド時限タイマ、監視制御周期タイマを備えており、各周期の管理を行う。平準化目標値の決定方法の詳細については後述する。さらに、目標決定部２２は、スイッチ制御部から取得したスイッチ状態に基づき、蓄電機１１の放電を検出し、放電実績を記憶部２４に格納する。また、目標決定部２２は、受電電力Ｐｉnを記憶部２４に格納し、格納した受電電力Ｐｉｎに基づき波高値ＣＦ（平均累積電力量Ｅａｖに対する最大累積電力量Ｅｐｋの比）を算出するようにしてもよい。
【００１５】
記憶部２４は、例えばＲａｎｄｏｍ  Ａｃｃｅｓｓ  Ｍｅｍｏｒｙ（ＲＡＭ）等である。記憶部２４は、平準化制御部２０の動作を制御するプログラム、蓄電装置７から入力される蓄電残量、電力量、決定した平準化目標値等を記憶する。
【００１６】
スイッチ制御部２６は、目標決定部２２により決定された平準化目標値および蓄電装置７から入力される受電電力および蓄電残量に基づき、スイッチ５の接続状態を切り換える動作信号を出力し、スイッチ５を制御する。また、スイッチ制御部２６は、矢印２７に示したように、スイッチ５のスイッチ状態を目標決定部２２に出力するように構成されている。
【００１７】
図２は、縦軸に消費電力、横軸に時間をとり、電力平準化制御を概念的に示した図である。図２に示すように、消費電力が目標値より低いときには蓄電機１１を充電し、消費電力が目標値より高いときには、スイッチ５を開放して蓄電機１１から変動負荷１３に電力を供給する。尚、消費電力と目標値は単位時間当りの電力量であっても良い。
【００１８】
図３は、縦軸に電力および電力量、横軸に時間をとり、電力平準化制御の一例を示す図である。電力平準化制御においては、例えば、所定のデマンド時限Ｔ１内で商用電源から受電した総電力量を例えば監視時間Ｔ２毎に計量し、計量した受電電力量と平準化目標値との比較に基づき、電源からの受電を制御する。本実施の形態においては、受電電力計測部９が、変動負荷１３の消費電力と蓄電機１１の充電電力の和を電源３からの受電電力Ｐｉｎとして計量している。よって図３を用いて、デマンド時限Ｔ１の間のある時点で、電源３からの受電電力Ｐｉｎを累積した累積電力量Ｅｉｎが平準化目標値を超えるか否かで、スイッチ５を開閉する例について説明する。図３では、受電電力Ｐｉｎ、累積電力量Ｅｉｎ、負荷電力Ｐｌの時間変化を示している。受電電力Ｐｉｎは、受電電力計測部９で計測された電力、累積電力量Ｅｉｎは、受電電力計測部９で計測された受電電力Ｐｉｎが監視時間Ｔ２継続されているとして、デマンド時限Ｔ１の開始時から経過した時間の間累積した電力量である。また、負荷電力Ｐｌは、変動負荷１３の消費電力である。
【００１９】
図３に示すように、変動負荷１３の消費電力が負荷電力Ｐｌのように変化するとき、受電電力Ｐｉｎは、累積電力量Ｅｉｎが平準化目標値ｘに達するまでの時刻ｔ＝０〜ｔ１では、蓄電機が満充電である前提で負荷電力Ｐｌと等しくなる。また、累積電力量Ｅｉｎは、デマンド時限Ｔ１内で累積された電力量であり、平準化目標値ｘに達しない時刻ｔ＝０〜２Ｔ１では、負荷電力が一定の場合ノコギリ波のような軌跡を描く。図３の例では、時刻ｔ＝２Ｔ１付近で負荷電力Ｐｌが上昇する。負荷電力Ｐｌの上昇により受電電力Ｐｉｎも上昇し、時刻ｔ＝ｔ１で累積電力量Ｅｉｎが平準化目標値ｘを超えることになり、スイッチ５が開放され、蓄電機１１は放電を開始する。スイッチ５が開放されている間は、受電電力Ｐｉｎ＝０である。蓄電機１１は、時刻ｔ＝ｔ１〜３Ｔ１の間、放電を行う。
【００２０】
次のデマンド時限に変わる時刻ｔ＝３Ｔ１で、累積電力量Ｅｉｎがリセットされるため、再びスイッチ５が閉じ、電源３からの受電が開始され、時刻ｔ＝３Ｔ〜ｔ２の間、受電が行われる。時刻ｔ＝ｔ２で累積電力量Ｅｉｎが再び平準化目標値ｘを超えることになり、スイッチ５が開放され、蓄電機１１は放電を開始する。以下、同様の動作を繰り返す。なお、本例では蓄電機１１が放電された後の時刻ｔ＝３Ｔ１以降は蓄電機１１が充電されるため、受電電力Ｐｉｎは、負荷電力Ｐｌと蓄電機１１への充電電力とを足し合わせた電力となる。以上のようにして、デマンド時限内の受電電力量Ｅｉｎが平準化目標値ｘと同等の値に制限される電力平準化制御が行われる。
【００２１】
以上のように構成される、第１の実施の形態による電力平準化システム１における平準化目標値の決定方法について説明する。上記のような電力平準化制御において、平準化周期を定め、過去の平準化周期に基づき今後の平準化目標値を更新するフィードバック制御を行う。変動負荷１３は、通常、人間の活動状況に応じて変動するため、例えば１日の周期で電力需要の高い期間と低い期間とが交互に発生することが多い。このため、本実施の形態においては、変動負荷１３の電力需要の高い期間と低い期間とが交互に発生すると予測される周期、例えば昼需要が高く夜需要の低い１日（２４時間）を平準化周期Ｔ０に定める。Ｔ０の別の例では夏需要が高く冬需要の低い１年と定めてもよい。そして、電力平準化システム１は、平準化周期Ｔ０内で、蓄電機１１を蓄電容量の使用し得る上限まで蓄電するとともに、平準化周期内で蓄電容量の使用し得る下限の状態となり、平準化周期の終わりには、平準化周期の初期の蓄電残量と同じになるようにすることが好ましい。
【００２２】
図４は、平準化周期における電力平準化制御の一例を説明する図である。図４において、横軸は時間、縦軸は電力、電力量、および蓄電残量である。図４は、平準化周期Ｔ０における受電電力Ｐｉｎ、累積電力量Ｅｉｎ、負荷電力Ｐｌ、および蓄電残量Ｂｒの変化の一例を示している。また、図４は、平準化目標値ｘ、蓄電残量初期値Ｂ０、蓄電残量使用下限Ｂｌ、および蓄電残量使用上限Ｂｕの一例を示している。
【００２３】
ここで、蓄電残量使用下限Ｂｌについて説明する。電力平準化システム１においては、蓄電残量Ｂｒの容量がなくなる前に、停電を避けるため電源３からの受電を再開する必要がある。しかし例えば、平準化目標値ｘの制御誤差が生じ、必要以上に平準化目標値ｘが低くなった場合、累積電力量Ｅｉｎにおいて受電電力量の高いピークが生じてしまうことがある。このような累積電力量Ｅｉｎのピーク発生を避けるため、図４に示すように、蓄電残量Ｂｒが不足であると判定する値は、「ゼロ」に対して、制御誤差を吸収するマージンを含むように設定しなければならない。この値を、蓄電残量使用下限Ｂｌといい、予め指定した値、または蓄電残量状態の過不足量に応じて決定した値とする。
【００２４】
このように、電力平準化システム１において、目標決定部２２は、蓄電残量使用下限Ｂｌを設定されており、この蓄電残量使用下限Ｂｌを前平準化周期における蓄電残量最小値が下回ったときに蓄電残量状態が不足であると判定する。これにより、蓄電残量Ｂｒは「ゼロ」になる可能性が縮小されるとともに、累積電力量Ｅｉｎの高いピークの発生も防止できる。
【００２５】
次に、蓄電残量使用上限Ｂｕについて説明する。蓄電機は電源ではないので、平準化の為に放電した電力は充電により取り戻す必要がある。ここで、蓄電機が満充電を維持すると充電機会が得られても充電することが出来ず、放電可能な電力量も減少する場合がある。その結果ピーク削減能力も同様に劣化する為、蓄電残量使用下限と同様に上限に対してもマージンをもって満充電と判定する必要がある。この判定に用いる値を蓄電残量使用上限Ｂｕといい、目標決定部２２において予め指定される。また、一般に蓄電機は、充電電圧の上限が決まっており、満充電に近づくと充電電圧と蓄電機の電圧との差分が小さくなることに伴い充電電流も小さくなるため、充電速度が低下していく。例えば、蓄電残量Ｂｒ≒８５（%）となると、蓄電残量Ｂｒの傾きが変わり、明らかに充電速度が低下する。この充電速度が低下する蓄電容量の領域を、定電圧充電領域という。
【００２６】
ところで、定電圧充電領域を含めて蓄電容量を最大限使う場合、放出した電力を平準化周期内で取り戻す為には、電力平準化システム１は、平準化の為に放電する電力量を充電速度に応じて抑えなければならない。しかし、定電圧充電領域の充電速度は指数関数的に減少するので、放電可能な電力量は著しく減少し、ピーク削減能力も同様に劣化する。よって、電力平準化システム１では、定電圧充電領域は積極的に用いず、この領域の下限まで蓄電残量が到達していれば満充電とみなしてもよい。この満充電とみなす際の蓄電残量Ｂｒの値を、蓄電残量使用上限Ｂｕとして設定すれば、満充電維持と充電速度の低下による性能劣化を回避出来るため、好ましい。定電圧充電領域の下限は、一般に蓄電機１１の仕様として示される。
【００２７】
図４において、蓄電残量Ｂｒは、平準化周期Ｔ０の開始時刻ｔ＝０において蓄電残量初期値Ｂ０である。そして、電力平準化システム１において電力平準化制御を行った結果、蓄電残量Ｂｒは時刻ｔ＝ｔ５で蓄電残量Ｂｒ＝蓄電残量使用上限Ｂｕ付近で最大となる。また、時刻ｔ＝ｔ６で蓄電残量Ｂｒ＝蓄電残量使用下限Ｂｌ付近で最低となり、再び平準化周期Ｔ０の終了時刻ｔ＝Ｔ０において蓄電残量Ｂｒ＝Ｂ０となる。このような動作結果となった場合の平準化目標値ｘが、蓄電機１１の蓄電容量を有効に活用し、デマンド時限内の受電電力量のピークを最も低減することが出来る理想の値である。
【００２８】
上記のような電力平準化システム１において、蓄電残量Ｂｒの平準化周期Ｔ０における変化を基に平準化目標値ｘを決定する電力平準化制御は、以下の基準入力要素を必要とする。すなわち、平準化周期Ｔ０における蓄電残量最大値Ｂｍａｘ、蓄電残量最小値Ｂｍｉｎ、最終蓄電残量Ｂ、および蓄電収支Ｂｄである。最終蓄電残量Ｂは、平準化周期終了時での蓄電残量Ｂｒ、蓄電収支Ｂｄは、平準化周期開始時と終了時の蓄電残量Ｂｒの差分である。
【００２９】
図５は、蓄電残量Ｂｒが不足している場合の平準化制御の一例を示す図である。図５において、横軸は時間、縦軸は電力、電力量、および蓄電残量である。図５は、平準化周期Ｔ０における受電電力Ｐｉｎ、累積電力量Ｅｉｎ、負荷電力Ｐｌ、および蓄電残量Ｂｒの変化の一例を示している。また、図５は、平準化目標値ｘ、蓄電残量初期値Ｂ０、蓄電残量使用下限Ｂｌ、および蓄電残量使用上限Ｂｕの一例を示している。
【００３０】
図５において、蓄電残量Ｂｒは、平準化周期Ｔ０の開始時刻ｔ＝０において蓄電残量初期値Ｂ０である。そして、電力平準化システム１において電力平準化制御を行った結果、蓄電残量Ｂｒは領域５Ａにおいて蓄電残量Ｂｒ＝蓄電残量使用上限Ｂｕ付近で蓄電残量最大値Ｂｍａｘとなる。また、領域５Ｂで蓄電残量Ｂｒ＝蓄電残量使用下限Ｂｌを下回る付近で蓄電残量最小値Ｂｍｉｎとなり、再び平準化周期Ｔ０の終了時刻ｔ＝Ｔ０において、領域５Ｃに示すように蓄電残量Ｂｒ＝最終蓄電残量Ｂとなる。図５の例では、蓄電残量最小値Ｂｍｉｎが蓄電残量使用下限Ｂｌを下回るので、蓄電残量Ｂｒは不足と判別される。
【００３１】
図６は、蓄電残量Ｂｒが過多の場合の平準化制御の一例を示す図である。図６において、横軸は時間、縦軸は電力、電力量、および蓄電残量である。図６は、平準化周期Ｔ０における受電電力Ｐｉｎ、累積電力量Ｅｉｎ、負荷電力Ｐｌ、および蓄電残量Ｂｒの変化の一例を示している。また、図６は、平準化目標値ｘ、蓄電残量初期値Ｂ０、蓄電残量使用下限Ｂｌ、および蓄電残量使用上限Ｂｕの一例を示している。
【００３２】
図６において、蓄電残量Ｂｒは、平準化周期Ｔ０の開始時刻ｔ＝０において蓄電残量初期値Ｂ０である。そして、電力平準化システム１において電力平準化制御を行った結果、蓄電残量Ｂｒは領域６Ａにおいて蓄電残量Ｂｒ＝蓄電残量使用上限Ｂｕ付近で蓄電残量最大値Ｂｍａｘとなる。また、領域６Ｂで蓄電残量Ｂｒ＝蓄電残量使用下限Ｂｌを上回るところで蓄電残量最小値Ｂｍｉｎとなり、再び平準化周期Ｔ０の終了時刻ｔ＝Ｔ０において、領域６Ｃに示すように蓄電残量Ｂｒ＝最終蓄電残量Ｂとなる。図５の例では、蓄電残量最小値Ｂｍｉｎが蓄電残量使用下限Ｂｌを上回るので、蓄電残量Ｂｒは過多と判別される。
【００３３】
図７は、第１の実施の形態による電力平準化システム１において、平準化目標値ｘを減少させる場合の変化量決定方法を示す概念図である。図７において、横軸は時間、縦軸は電力および電力量であり、平準化周期Ｔ０における変動負荷１３の時間に対する変動を示している。この平準化周期Ｔ０における平準化目標値ｘを、変化量ｄｘ減少させた場合を考える。
【００３４】
ここで、領域αで表される電力量は、平準化目標値ｘを変化量ｄｘ減少させたことにより必要となる放電電力量、領域βで表される電力量は、平準化目標値ｘを変化量ｄｘ減少させたことにより減少する充電電力量である。このとき、領域αと領域βとを合わせた電力量が、平準化目標値ｘを変化量ｄｘ減少させたことにより減少する蓄電残量Ｂｒの過多分に相当する。この蓄電残量Ｂｒの過多分が、変化量ｄｘと平準化周期Ｔ０とを掛け合わせたものに相当するように、変化量ｄｘを決定する。
【００３５】
なお、蓄電残量Ｂｒが不足している場合にも同様である。すなわち、目標決定部２２は、平準化目標値ｘを変化量ｄｘ増加させたことにより不要になる充電電力量と、必要となる放電電力量との和が、平準化目標値ｘを変化量ｄｘ増加させることにより増加する蓄電残量Ｂｒの不足分に相当するように変化量ｄｘを決定する。
【００３６】
以下、第１の実施の形態による電力平準化システム１の動作を、図８〜図１５を参照しながら説明する。図８〜図９は、第１の実施の形態による電力平準化システム１の動作を示すフローチャート、図１０は、蓄電機の残量切れ状態について説明する図である。
【００３７】
図８に示すように、目標決定部２２において、予め電力平準化制御の初期パラメータ設定が行われる。すなわち平準化周期Ｔ０、デマンド時限Ｔ１、監視時間Ｔ２、平準化周期開始時刻が設定され、記憶部２４に格納される。また、平準化目標値決定制御の為の蓄電残量使用上限Ｂｕ（％）、蓄電残量使用下限Ｂｌ（％）、平準化目標値の初期値ｘ＝ｘ０（Ｗｈ）、蓄電機容量Ｂｃ（Ｗｈ）が設定され、記憶部２４に格納される（Ｓ５２）。
【００３８】
目標決定部２２は、Ｓ５２で設定された平準化周期開始時刻が到来したか否かを、図示せぬ時刻取得部と記憶部２４に格納された平準化周期開始時刻とを比較することにより監視する（Ｓ５３：Ｎｏ）。平準化周期開始時刻が到来すると（Ｓ５３：Ｙｅｓ）、目標決定部２２は、まず、蓄電残量Ｂｒの初期値として蓄電残量Ｂ（％）を取得し（Ｓ５４）、平準化制御を開始する（Ｓ５５）。
【００３９】
図９の処理に進み、目標決定部２２は、平準化周期タイマ（図示せず）をリセットする（Ｓ６１）。また、目標決定部２２は、蓄電残量最大値Ｂｍａｘ＝Ｂｒ（％）、蓄電残量最小値Ｂｍｉｎ＝Ｂｒ（％）、蓄電残量初期値Ｂ０＝Ｂｒにリセットし（Ｓ６２）、デマンド時限タイマ（図示せず）をリセットする（Ｓ６３）。目標決定部２２は、スイッチ制御部２６に、スイッチ５を閉じて受電を開始させるための動作信号を出力し、スイッチ５は、スイッチ制御部２６からの指示信号により接続を閉じる。このとき蓄電機１１は入力正常を検出し、充電と電源３からの負荷への給電を開始または継続する（Ｓ６４）。目標決定部２２は、累積電力量Ｅｉｎ＝０（Ｗｈ）にリセットするとともに（Ｓ６５）、監視制御周期タイマ（図示せず）をリセットする（Ｓ６６）。
【００４０】
目標決定部２２は、監視制御周期タイマが満了するまで監視し（Ｓ６７：Ｎｏ）、満了すると（Ｓ６７：Ｙｅｓ）、蓄電残量計測部１２で計測された蓄電残量Ｂｒを取得する（Ｓ６８）。目標決定部２２は、取得された蓄電残量Ｂｒと蓄電残量最大値Ｂｍａｘとを比較し、蓄電残量Ｂｒが蓄電残量最大値Ｂｍａｘ以下である場合には、処理はＳ７１に進む（Ｓ６９：Ｙｅｓ）。蓄電残量Ｂｒが蓄電残量最大値Ｂｍａｘより大きい場合には（Ｓ６９：Ｎｏ）、目標決定部２２は、蓄電残量最大値Ｂｍａｘを蓄電残量Ｂｒに更新し、（Ｓ７０）、記憶部２４に記憶させるとともに、処理をＳ７１に進める。目標決定部２２は、取得された蓄電残量Ｂｒと蓄電残量最小値Ｂｍｉｎとを比較し、蓄電残量Ｂｒが蓄電残量最小値Ｂｍｉｎ以上である場合には、処理をＳ７３に進める（Ｓ７１：Ｙｅｓ）。蓄電残量Ｂｒが蓄電残量最小値Ｂｍｉｎより小さい場合には（Ｓ７１：Ｎｏ）、目標決定部２２は、蓄電残量最小値Ｂｍｉｎを蓄電残量Ｂｒに更新し（Ｓ７２）、２３に記憶させるとともに、処理をＳ７３に進める。目標決定部２２は、受電電力計測部９により受電電力Ｐｉｎ（Ｗ）を取得する（Ｓ７３）。
【００４１】
図１０の処理に進み、目標決定部２２は、累積受電電力量Ｅｉｎ＝Ｅｉｎ＋Ｐｉｎ×Ｔ２を計算するとともに、記憶部２４に記憶する（Ｓ８１）。スイッチ制御部２６は、Ｓ８１で計算された累積受電電力量Ｅｉｎと現在の平準化目標値ｘとを比較し、累積受電電力量Ｅｉｎが平準化目標値ｘを下回っている場合には（Ｓ８２：Ｎｏ）、処理をＳ８４に進める。スイッチ制御部２６は、Ｓ８１で計算された累積受電電力量Ｅｉｎが平準化目標値ｘ以上の場合には（Ｓ８２：Ｙｅｓ）、スイッチ５に接続を切断する動作信号を出力し、スイッチ５は接続を切断する。このとき蓄電機は入力断を検出し、放電による負荷への給電を開始または継続する（Ｓ８３）。
【００４２】
目標決定部２２が、デマンド時限タイマが満了しないと判別している間は（Ｓ８４：Ｎｏ）、Ｓ６６からＳ８４の処理が繰り返される。目標決定部２２は、デマンド時限タイマが満了したことを判別すると（Ｓ８４：Ｙｅｓ）、平準化周期タイマが満了したか否かを判別する（Ｓ８５）。目標決定部２２が、平準化周期タイマが満了しないと判別している間は（Ｓ８５：Ｎｏ）、Ｓ６３からＳ８５の処理が繰り返される。目標決定部２２は、平準化周期タイマが満了したことを判別すると（Ｓ８５：Ｙｅｓ）、蓄電残量収支Ｂｄ＝Ｂｒ−Ｂ０を計算し（Ｓ８６）、処理を平準化目標値ｘの決定処理（Ｓ９０）に進める。このとき、現在の蓄電残量Ｂｒを最終蓄電残量Ｂとして記憶部２４に記憶させるようにしてもよい。
【００４３】
Ｓ９０において、目標決定部２２は、蓄電残量最大値Ｂｍａｘ＜蓄電残量使用上限Ｂｕ、または、蓄電残量最小値Ｂｍｉｎ＜蓄電残量使用下限Ｂｌ、または、蓄電収支Ｂｄ＜０であるという条件に合致するか否かを判別する（Ｓ８７）。判別結果が条件に合致する場合には、目標決定部２２は、平準化目標値ｘを増加させると判断して図１１に処理を進め、合致しない場合にはＳ８８に処理を進める。
【００４４】
目標決定部２２は、蓄電残量最大値Ｂｍａｘ＞蓄電残量使用上限Ｂｕ、かつ、蓄電残量最小値Ｂｍｉｎ＞蓄電残量使用下限Ｂｌ、かつ、蓄電収支Ｂｄ＞０であるという条件に合致するか否かを判別する（Ｓ８８）。判別結果が条件に合致する場合には（Ｓ８８：Ｙｅｓ）、目標決定部２２は、平準化目標値ｘを減少させると判断して、図１３に処理を進める。判別結果が条件に合致しない場合には、目標決定部２２は平準化目標値ｘを変更せず、図８の処理に戻る。
【００４５】
なお、上記の処理において目標決定部２２は、蓄電残量最大値Ｂｍａｘ、蓄電残量最小値Ｂｍｉｎ、蓄電初期値Ｂ０等を記憶部２４に格納、または記憶部２４から読み出すことにより判別処理などを行っている。
【００４６】
ここで、平準化目標値ｘを増加させるか減少させるかの判断について説明する。本実施の形態においては、図１０のＳ８７を増加させる条件，Ｓ８８を減少させる条件として説明したがこれに限定されない。上述した基準入力要素に関する条件を、次の平準化周期Ｔ０において、平準化目標値ｘを増加させるか減少させるかにより以下のように定める。
【００４７】
減少条件）平準化目標値ｘを減少させる場合
条件１ａ）  蓄電残量最大値Ｂｍａｘ＞蓄電残量使用上限Ｂｕ
条件１ｂ）  蓄電残量最小値Ｂｍｉｎ＞蓄電残量使用下限Ｂｌ
条件１ｃ）  蓄電収支Ｂｄ＞０
条件１ｄ）  最終蓄電残量Ｂ＞蓄電残量使用上限Ｂｕ
増加条件）平準化目標値ｘを増加させる場合
条件２ａ）  蓄電残量最大値Ｂｍａｘ＜蓄電残量使用上限Ｂｕ
条件２ｂ）  蓄電残量最小値Ｂｍｉｎ＜蓄電残量使用下限Ｂｌ
条件２ｃ）  蓄電収支Ｂｄ＜０
条件２ｄ）  最終蓄電残量Ｂ＜蓄電残量使用上限Ｂｕ
【００４８】
上記、減少条件について４通り、増加条件について４通りの条件から、決定条件としてそれぞれ少なくとも一つを選ぶ。複数の条件を選んだ場合には、それらの論理和または論理積をとる。本変形例においては、例えば蓄電容量に充分な余裕がない場合について、停電を避けるため、平準化目標値ｘを増加させる増加条件を優先することにし、減少条件においては論理積、増加条件では論理和をとることにする。このようにすると、減少条件について１５通り、増加条件について１５通りの条件が得られる。さらに、減少条件に当てはまるか否か、すなわち、平準化目標値ｘを増加させる条件に当てはまるか否かを先に判別する場合と、増加条件に当てはまるか否かを先に判別する場合とを考慮すると、１５×１５×２＝４５０通りの条件が得られる。これらの条件は全て、電力平準化システム１において適用可能であり、第１の実施の形態に含まれる。
【００４９】
例えば、図１０で説明した条件は、以下のように表される。
減少条件）：条件１ａ、かつ、条件１ｂ、かつ、条件１ｃ（論理積）
増加条件）：条件２ａ、または、条件２ｂ、または、条件２ｃ（論理和）
【００５０】
次に、図１１から図１３を参照しながら、平準化目標値ｘの増加量決定処理について説明する。図１１は、平準化目標値ｘの増加量決定処理を示すフローチャート、図１２は、拡張蓄電残量について説明する図、図１３は、平準化目標値ｘの増加量決定の処理を説明する図である。図１１に示すように、増加量決定処理１００において目標決定部２２は、蓄電残量使用下限Ｂｌ−蓄電残量最小値Ｂｍｉｎ≧０−蓄電収支Ｂｄであるか否か判別する（Ｓ９１）。
【００５１】
図１２において、横軸は時間、縦軸は電力、電力量、および蓄電残量である。図１２は、平準化周期Ｔ０における受電電力Ｐｉｎ、累積電力量Ｅｉｎ、負荷電力Ｐｌ、および蓄電残量Ｂｒの変化の一例を示している。また、蓄電残量許容下限Ｂｌｉｍが示されている。ここでは、蓄電残量Ｂｒに注目する。
【００５２】
ここで、蓄電残量許容下限Ｂｌｉｍについて説明する。充放電を繰り返した場合に充電で蓄えられる蓄電残量Ｂｒよりも放電される電力の方が大きい場合には、例えば放電中のある監視時刻で蓄電残量Ｂｒ≠０であっても、次の監視時刻前の時刻で蓄電残量Ｂｒ＝０となることが考えられる。すなわち、監視時間Ｔ２は有限である為、ある監視時刻に蓄電残量Ｂｒが存在することが計測されても、次の監視時刻までに残量を使い切り、変動負荷１３への電力供給が停止し、負荷停止が発生してしまう。このため、変動負荷１３がコンピュータのように不慮の停止が許容されないような負荷である場合、蓄電残量Ｂｒを監視し、空となる前にスイッチ５を閉じることにより電源３からの受電を行うように切り換える制御が必要である。
【００５３】
よって「蓄電残量無し」の判定を行う蓄電残量Ｂｒの下限は、「ゼロ」でなく、次の監視時刻まで需要を賄えるだけの残量を残した値にする必要がある。この値を、蓄電残量許容下限Ｂｌｉｍという。蓄電残量許容下限Ｂｌｉｍは、監視時間Ｔ２と蓄電機１１の放電可能最大電力Ｐｍａｘあるいは変動負荷１３の最大電力の積を賄えるだけの蓄電残量Ｂｒの値として決定し、安全の為にマージンδを加えてもよい。蓄電残量許容下限Ｂｌｉｍは、例えば式１で表される。
【００５４】
Ｂｌｉｍ＝１００×Ｐｍａｘ（Ｗ）×Ｔ２（ｈ）／Ｂｃ（Ｗｈ）＋δ  （％）・・・（式１）
ここで、Ｂｃは、蓄電機容量である。このように、図１２における領域１２Ａでは、蓄電残量Ｂｒが蓄電残量許容下限Ｂｌｉｍ以下になっており、事実上蓄電残量Ｂｒがない状態になっている。
【００５５】
なお、通常は、蓄電残量Ｂｒが蓄電残量使用下限Ｂｌを下回ると、停電を回避するために蓄電機１１の充電を行うように設定されている。しかし、もしも蓄電残量Ｂｒに余裕があれば、図１２に示す拡張蓄電残量Ｂｒ’のように変化し、拡張最小蓄電残量Ｂ１となるはずである。よって、平準化目標値ｘの変化量ｄｘを算出する際には、蓄電残量Ｂｒの値をそのまま使わず、拡張蓄電残量Ｂｒ’に基づき蓄電残量Ｂｒが変化したものとして扱う。この拡張蓄電残量Ｂｒ’は、例えば、停電回避の為にスイッチ５を閉じていた期間の受電電力量を、蓄電残量Ｂｒから減ずることによって算出する。
【００５６】
図１３において、横軸は時間、縦軸は電力、電力量、および蓄電残量である。図１３は、平準化周期Ｔ０における受電電力Ｐｉｎ、累積電力量Ｅｉｎ、負荷電力Ｐｌ、および蓄電残量Ｂｒの変化の一例を示している。ここでは、蓄電残量Ｂｒに注目する。
【００５７】
図１３には、図１１のＳ９１の判定における最小値不足分＝Ｂｌ−Ｂｍｉｎおよび、収支不足分＝０−Ｂｄが示されている。本実施の形態において、目標決定部２２は、記憶部２４に格納された蓄電残量Ｂｒを参照して算出し、最小値不足分と収支不足分とのうちの大きいほうを、蓄電残量Ｂｒの不足分として、平準化目標値ｘを変化させるための変化基準量Ｂｘと判定する。
【００５８】
すなわち、図１１に戻って、目標決定部２２は、最小値不足分＝Ｂｌ−Ｂｍｉｎが収支不足分＝０−Ｂｄ以上である場合（Ｓ９１：Ｙｅｓ）、蓄電残量Ｂｒの変化基準量Ｂｘ＝Ｂｌ−Ｂｍｉｎとする（Ｓ９２）。目標決定部２２は、最小値不足分＝Ｂｌ−Ｂｍｉｎが収支不足分＝０−Ｂｄ以上でない場合（Ｓ９１：Ｎｏ）、蓄電残量Ｂｒの変化基準量Ｂｘ＝０−Ｂｄとする（Ｓ９３）。
【００５９】
このように目標決定部２２は、最小値不足分と収支不足分とのうちの大きいほうを、蓄電残量Ｂｒの不足分として、平準化目標値ｘを変化させるための変化基準量Ｂｘと判定する。
【００６０】
尚、Ｓ８７の平準化目標値増加条件と、増加時の変化基準量Ｂｘの判定条件の選び方によっては、Ｂｘが負になる場合があるが、このときはＢｘ＝０とすることが好ましい。
このとき、平準化目標値ｘの変化量は、以下の式２で表される。
目標値増加量（変化量ｄｘ）（Ｗｈ）＝０．０１×目標値増加によって減少する蓄電残量Ｂｒの不足分（％）×蓄電容量Ｂｃ（Ｗｈ）／平準化周期Ｔ０（ｈ）・・・（式２）
すなわち、目標決定部２２は、変化量ｄｘ＝０．０１×Ｂｘ×Ｂｃ／Ｔ０とし（Ｓ９４）、平準化目標値ｘ＝ｘ＋ｄｘと置き換え、図８の処理に戻る（Ｓ９５）。
【００６１】
次に、図１４、図１５を参照しながら平準化目標値ｘの減少量決定処理について説明する。図１４は、平準化目標値ｘの減少量決定の処理を示すフローチャート、図１５は、平準化目標値ｘの減少量決定の処理を説明する図である。図１４に示すように、減少量決定処理１１０において、目標決定部２２は、蓄電残量最大値Ｂｍａｘ―蓄電残量使用上限Ｂｕ≧蓄電残量最小値Ｂｍｉｎ−蓄電残量使用下限Ｂｌであるか否か判別する（Ｓ１０１）。
【００６２】
図１５において、横軸は時間、縦軸は電力、電力量、および蓄電残量である。図１５は、平準化周期Ｔ０における受電電力Ｐｉｎ、累積電力量Ｅｉｎ、負荷電力Ｐｌ、および蓄電残量Ｂｒの変化の一例を示している。ここでは、蓄電残量Ｂｒに注目する。図１５には、図１４のＳ１０１の判定における残量過多分＝Ｂｍａｘ―Ｂｕ、および最小値余裕分＝Ｂｍｉｎ−Ｂｌが示されている。目標決定部２２は、記憶部２４に格納された蓄電残量Ｂｒを参照して、残量過多分と最小値余裕分とのうちの小さいほうを、蓄電残量Ｂｒの過多分として、平準化目標値ｘを変化させるための変化基準量Ｂｘと判定する。
【００６３】
すなわち、図１４に戻って、目標決定部２２は、残量過多分＝蓄電残量最大値Ｂｍａｘ―蓄電残量使用上限Ｂｕが最小値余裕分＝蓄電残量最小値Ｂｍｉｎ−蓄電残量使用下限Ｂｌ以上である場合（Ｓ１０１：Ｙｅｓ）、Ｓ１０２に処理を進める。Ｓ１０２では、変化基準量Ｂｘ＝Ｂｍｉｎ−Ｂｌとする。目標決定部２２は、残量過多分＝蓄電残量最大値Ｂｍａｘ―蓄電残量使用上限Ｂｕが最小値余裕分＝蓄電残量最小値Ｂｍｉｎ−蓄電残量使用下限Ｂｌ未満の場合（Ｓ１０１：Ｎｏ）、変化基準量Ｂｘ＝Ｂｍａｘ−Ｂｕとする（Ｓ１０３）。尚、Ｓ８８の平準化目標値減少条件と、減少時の変化基準量Ｂｘの判定条件の選び方によっては、Ｂｘが負になる場合があるが、このときはＢｘ＝０とすることが好ましい。
【００６４】
このとき、平準化目標値ｘの変化量は、以下の式３で表される。
目標値減少量（変化量ｄｘ）（Ｗｈ）＝０．０１×目標値減少によって減る蓄電残量Ｂｒの過多分（％）×蓄電容量Ｂｃ（Ｗｈ）／平準化周期Ｔ０（ｈ）・・・（式３）
すなわち、目標決定部２２は、変化量ｄｘ＝０．０１×Ｂｘ×Ｂｃ／Ｔ０とし（Ｓ１０４）、平準化目標値ｘ＝ｘ−ｄｘと置き換え、図８の処理に戻る（Ｓ１０５）。
【００６５】
以上説明したように、第１の実施の形態による電力平準化システム１によれば、次の平準化周期Ｔ０における平準化目標値ｘの変化量ｄｘを蓄電残量Ｂｒの平準化周期Ｔ０における蓄電残量最大値Ｂｍａｘ、蓄電残量最小値Ｂｍｉｎ、および蓄電収支Ｂｄのうちの少なくとも１つに基づき算出し、次の平準化周期Ｔ０における平準化目標値ｘを変更する。
【００６６】
すなわち、増加させる場合には、目標決定部２２は、最小値不足分＝Ｂｌ−Ｂｍｉｎと、収支不足分＝０−Ｂｄの大きい方に基づいて、平準化目標値ｘを増加させる。減少させる場合には、目標決定部２２は、残量過多分＝Ｂｍａｘ―Ｂｕと最小値余裕分＝Ｂｍｉｎ−Ｂｌとの間の小さい方に基づいて、平準化目標値ｘを減少させる。
【００６７】
このように、平準化目標値ｘを変化させることにより変化する蓄電機１１の充電電力量と変化する放電電力量との和が平準化目標値ｘを変化させることにより変化する電力量と等しくなるように、平準化目標値ｘを変化させる。これにより、電力平準化システム１は、変動負荷１３の状態に適した平準化制御を行うことが可能になる。
【００６８】
このとき、蓄電残量Ｂｒの過不足度合いにより変化量ｄｘが決定されるので、次の平準化周期Ｔ０において、電源３や変動負荷１３の状況に適した平準化目標値ｘとなりやすい。よって、受電電力Ｐｉｎのピークを削減でき、蓄電機１１の残量不足による受電電力の上昇や、平準化周期Ｔ０の終了時までに必要な蓄電残量Ｂｒを確保できないという事態を防止できる。よって、蓄電機１１の過不足による平準化効果の劣化を防止でき、電力平準化システム１を平準化効果の高いシステムとすることができる。
【００６９】
また、蓄電残量Ｂｒの平準化周期Ｔ０における蓄電残量最大値Ｂｍａｘ、蓄電残量最小値Ｂｍｉｎは、蓄電残量Ｂｒを取得する毎に更新するようにすることで、全蓄電残量Ｂｒを記憶するような大きな記憶容量を有する記憶部を必要としない構成とすることができる。
【００７０】
（第１の実施の形態の変形例）
次に、図１６から図１８を参照しながら、第１の実施の形態による電力平準化システム１の変形例について説明する。本変形例において、第１の実施の形態と同様の構成および動作については同一の符号を付し、重複説明を省略する。本変形例は、第１の実施の形態による平準化目標値ｘの変化量ｄｘ決定方法の変形例である。よって、電力平準化システム１の構成および、平準化目標値ｘの増減を判断するまでの図８から図１１の処理は、本変形例においても同様である。
【００７１】
まず、図１６から図１８を参照しながら、本変形例による増加量決定処理について説明する。図１６は、増加量決定処理１２０を示すフローチャートである。図１６に示すように、目標決定部２２は、変化基準値Ｂｘを以下の式４により定める（Ｓ１１１）。
Ｂｘ＝ｍａｘ（ｍｉｎ（ｍａｘ（１００−Ｂｍａｘ，Ｂｌ），Ｂｌ−Ｂｍｉｎ），−Ｂｄ）・・・（式４）
ここで、関数ｆ（ａ，ｂ）＝ｍａｘ（ａ，ｂ）は変数ａ、bの内、大きい方の値を出力し、関数ｇ（ａ，ｂ）＝ｍｉｎ（ａ，ｂ）は変数ａ、bの内、小さい方の値を出力する。
【００７２】
すなわち、変化基準値Ｂｘは、以下の論理で決定する。
（１）(蓄電残量減少分：−Ｂｄ)≧（蓄電残量最小値が使用下限を下回った分：Ｂｌ−Ｂｍｉｎ)であれば、Ｂｘ＝−Ｂｄとする。これは、平準化周期Ｔ０の開始時に対する終了時の蓄電残量Ｂｒの残量減少分を補うものである。
【００７３】
（２）（１）でない場合、(蓄電残量最小値が蓄電残量使用下限を下回った分：Ｂｌ−Ｂｍｉｎ)≦（使用下限：Ｂｌ)であれば、Ｂｘ＝Ｂｌ−Ｂｍｉｎとする。これは、蓄電残量最小値Ｂｍｉｎが蓄電残量使用下限Ｂｌを下回った分を補うものである。
【００７４】
（３）（１）および（２）でない場合、(蓄電残量最小値が蓄電残量使用下限を下回った分：Ｂｌ−Ｂｍｉｎ)≦（蓄電容量と蓄電残量最大値との差分：１００−Ｂｍａｘ)であれば、Ｂｘ＝Ｂｌ−Ｂｍｉｎとする。このとき、蓄電残量最小値Ｂｍｉｎが負の値となっているので、蓄電残量最大値Ｂｍａｘが低く、平準化目標値ｘを上げても充電する余裕が残っている場合に限り、その分を補う。
【００７５】
図１７は、平準化目標値ｘの増加量決定の処理における上記（３）を説明する図である。図１７において、横軸は時間、縦軸は電力、電力量、および蓄電残量である。図１７は、平準化周期Ｔ０における受電電力Ｐｉｎ、累積電力量Ｅｉｎ、負荷電力Ｐｌ、および蓄電残量Ｂｒの変化の一例を示している。ここでは、蓄電残量Ｂｒに注目する。
【００７６】
図１７には、図１６のＳ１１１の判定における最小値不足分＝Ｂｌ−Ｂｍｉｎ、収支不足分＝０−Ｂｄおよび蓄電容量と蓄電残量最大値との差分＝１００−Ｂｍａｘが示されている。目標決定部２２は、平準化周期Ｔ０の終了時に記憶部２４に格納された蓄電残量Ｂｒを参照して算出し、蓄電容量と蓄電残量最大値との差分が、最小値不足分＝Ｂｌ−Ｂｍｉｎより大きい場合には、蓄電機１１の容量に余裕があるため、変化量基準値Ｂｘ＝Ｂｌ−Ｂｍｉｎとする。なおこのとき、蓄電残量最小値Ｂｍｉｎは、図１２を参照しながら説明した拡張蓄電残量Ｂｒ’の最小値を用いるものとする。
【００７７】
（４）（１）から（３）のいずれでもない場合には、（蓄電残量減少分：−Ｂｄ），（蓄電容量と蓄電残量最大値との差分：１００−Ｂｍｉｎ），（蓄電残量使用下限：Ｂｌ）のうちの最も大きいものを変化基準値Ｂｘとする。負の値である蓄電残量最小値Ｂｍｉｎが使用下限を下回った分をそのまま補うことができない場合には、これらの値の最も大きなものにより不足分を決定する。
【００７８】
図１８は、平準化目標値ｘの増加量決定の処理における上記（４）を説明する図である。図１８において、横軸は時間、縦軸は電力、電力量、および蓄電残量である。図１８は、平準化周期Ｔ０における受電電力Ｐｉｎ、累積電力量Ｅｉｎ、負荷電力Ｐｌ、および蓄電残量Ｂｒの変化の一例を示している。ここでは、蓄電残量Ｂｒに注目する。
【００７９】
図１８には、図１６のＳ１１１の判定における（最小値不足分：Ｂｌ−Ｂｍｉｎ）、（収支不足分：０−Ｂｄ）および（蓄電容量と蓄電残量最大値との差分：１００−Ｂｍａｘ）、および（蓄電残量使用下限：Ｂｌ）が示されている。目標決定部２２は、平準化周期Ｔ０終了時に記憶部２４に格納された蓄電残量Ｂｒを参照して算出する。すなわち、目標決定部２２は、最小値不足分、収支不足分、蓄電容量と蓄電残量最大値との差分、および蓄電残量使用下限のうちの最も大きいものを、蓄電残量の不足分として、平準化目標値ｘを変化させるための変化基準量Ｂｘと判定する。なおこのとき、蓄電残量最小値Ｂｍｉｎは、図１２を参照しながら説明した拡張蓄電残量Ｂｒ’の最小値を用いるものとする。
【００８０】
以上のように、蓄電残量減少分（−Ｂｄ）は、蓄電残量最小値Ｂｍｉｎが負の値であるか否かに依存しない不足分なのでそのまま候補とする。蓄電容量と残量最大値との差分＝１００−Ｂｍａｘは、蓄電容量を使い切っていない分であり、充電可能電力の余裕として候補とする。蓄電残量使用下限Ｂｌは、実際の蓄電残量Ｂｒ（拡張蓄電残量Ｂｒ’ではない）の最小値が使用下限を下回った分であり、使用下限分の電力量を確保する意味で候補とする。なお、上記論理は、式で表すと上記式４となる。
【００８１】
図１６を再び参照して、目標決定部２２は、変化量ｄｘ＝０．０１×Ｂｘ×Ｂｃ／Ｔ０とし（Ｓ１１２）、平準化目標値ｘ＝ｘ＋ｄｘと置き換え、図８の処理に戻る（Ｓ１１３）。
【００８２】
次に、図１９を参照しながら、本変形例による平準化目標値ｘの減少量の決定方法について説明する。図１９は、減少量決定処理１３０を示すフローチャートである。図１９に示すように、目標決定部２２は、変化基準値Ｂｘを以下の式５により定める（Ｓ１２１）。
Ｂｘ＝ｍｉｎ（Ｂｍａｘ−Ｂｕ，Ｂｍｉｎ−Ｂｌ）・・・（式５）
式５は、第１の実施の形態による減少量決定処理１１０におけるＳ１０１〜Ｓ１０３の処理と同様である。
【００８３】
目標決定部２２は、変化量ｄｘ＝０．０１×Ｂｘ×Ｂｃ／Ｔ０とし（Ｓ１２２）、平準化目標値ｘ＝ｘ−ｄｘと置き換え、図８の処理に戻る（Ｓ１２３）。
以上説明したように、本変形例によれば、次の平準化周期Ｔ０における平準化目標値ｘの変化量ｄｘを蓄電残量Ｂｒの平準化周期Ｔ０における蓄電残量最大値Ｂｍａｘ、蓄電残量最小値Ｂｍｉｎ、蓄電収支Ｂｄ、および蓄電残量使用下限Ｂｌのうちの少なくとも１つに基づき算出し、次の平準化周期Ｔ０における平準化目標値ｘを変更する。
【００８４】
例えば、増加させる場合には、目標決定部２２は、式４に基づき変化基準値Ｂｘを算出することにより平準化目標値ｘを増加させる。減少させる場合には、目標決定部２２は、式５に基づき変化基準値Ｂｘを算出することにより平準化目標値ｘを減少させる。
【００８５】
このように、平準化目標値ｘを変化させることにより変化する蓄電機１１の充電電力量と変化する放電電力量との和が平準化目標値ｘを変化させることにより変化する電力量と等しくなるように、平準化目標値ｘを変化させる。これにより、電力平準化システム１は、変動負荷１３の状態に適した平準化制御を行うことが可能になる。
【００８６】
このとき、蓄電残量Ｂｒの過不足度合いにより変化量ｄｘが決定されるので、次の平準化周期Ｔ０において、電源３や変動負荷１３の状況に適した平準化目標値ｘとなりやすい。よって、受電電力Ｐｉｎのピークを削減でき、蓄電機１１の残量不足による受電電力の上昇や、平準化周期Ｔ０の終了時までに必要な蓄電残量Ｂｒを確保できないという事態を防止できる。よって、蓄電機１１の過不足による平準化効果の劣化を防止でき、電力平準化システム１を平準化効果の高いシステムとすることができる。
【００８７】
（第２の実施の形態）
次に、図２０から図２５を参照しながら、第２の実施の形態による電力平準化システムについて説明する。第２の実施の形態において、第１の実施の形態と同様の構成および動作については同一の符号を付し、重複説明を省略する。第２の実施の形態は、第１の実施の形態による平準化目標値ｘの変化量ｄｘ決定方法の変形例である。よって、電力平準化システム１の構成および図８の処理は第２の実施の形態においても同様である。
【００８８】
図２０は、図８の処理に続いて行われる処理である。図２０に示すように、目標決定部２２は、平準化周期タイマ（図示せず）をリセットする（Ｓ１６１）。また、目標決定部２２は、蓄電残量最大値Ｂｍａｘ＝Ｂｒ（％）、蓄電残量最小値Ｂｍｉｎ＝Ｂｒ（％）、蓄電残量初期値Ｂ０＝Ｂｒにリセットするとともに、第１の実施の形態においては設定しなかったが、累積電力量最大値Ｅｍａｘ＝０（Ｗｈ）と設定する（Ｓ１６２）。さらに、目標決定部２２は、デマンド時限タイマ（図示せず）をリセットする（Ｓ１６３）。
【００８９】
目標決定部２２は、スイッチ制御部２６に、スイッチ５を閉じて受電を開始させるための動作信号を出力し、スイッチ５は、スイッチ制御部２６からの指示信号により接続を閉じる。このとき蓄電機１１は入力正常を検出し、充電と電源３からの負荷への給電を開始または継続する（Ｓ１６４）。目標決定部２２は、累積電力量Ｅｉｎ＝０（Ｗｈ）にリセットするとともに（Ｓ１６５）、監視制御周期タイマ（図示せず）をリセットする（Ｓ１６６）。
【００９０】
目標決定部２２は、監視制御周期タイマが満了するまで監視し（Ｓ１６７：Ｎｏ）、満了すると（Ｓ１６７：Ｙｅｓ）、蓄電残量計測部１２で計測された蓄電残量Ｂｒを取得するとともに、記憶部２４に記憶させる（Ｓ１６８）。目標決定部２２は、取得された蓄電残量Ｂｒと蓄電残量最大値Ｂｍａｘとを比較し、蓄電残量Ｂｒが蓄電残量最大値Ｂｍａｘ以下である場合には、処理はＳ７１に進む（Ｓ１６９：Ｙｅｓ）。蓄電残量Ｂｒが蓄電残量最大値Ｂｍａｘより大きい場合には（Ｓ１６９：Ｎｏ）、目標決定部２２は、蓄電残量最大値Ｂｍａｘを蓄電残量Ｂｒに更新し（Ｓ１７０）、記憶部２４に記憶させ、処理をＳ１７１に進める。
【００９１】
目標決定部２２は、取得された蓄電残量Ｂｒと蓄電残量最小値Ｂｍｉｎとを比較し、蓄電残量Ｂｒが蓄電残量最小値Ｂｍｉｎ以上である場合には、処理はＳ１７３に進む（Ｓ１７１：Ｙｅｓ）。蓄電残量Ｂｒが蓄電残量最小値Ｂｍｉｎより小さい場合には（Ｓ１７１：Ｎｏ）、目標決定部２２は、蓄電残量最小値Ｂｍｉｎを蓄電残量Ｂｒに更新し（Ｓ１７２）、記憶部２４に記憶させるとともに、処理をＳ１７３に進める。目標決定部２２は、受電電力計測部９により受電電力Ｐｉｎ（Ｗ）を取得する（Ｓ１７３）。
【００９２】
図２１の処理に進み、目標決定部２２は、累積受電電力量Ｅｉｎ＝Ｅｉｎ＋Ｐｉｎ×Ｔ２を計算するとともに記憶部２４に記憶させる（Ｓ１８１）。スイッチ制御部２６は、累積受電電力量Ｅｉｎが、累積電力量最大値Ｅｍａｘ以下であるか否か判別する（Ｓ１８２）。累積受電電力量Ｅｉｎが、累積電力量最大値Ｅｍａｘ以下であると判別されると（Ｓ１８２：Ｙｅｓ）、スイッチ制御部２６は処理をＳ１８４に進める。累積受電電力量Ｅｉｎが、累積電力量最大値Ｅｍａｘより大きいと判別されると（Ｓ１８２：Ｎｏ）、スイッチ制御部２６は、累積電力量最大値Ｅｍａｘ＝累積受電電力量Ｅｉｎと設定し（Ｓ１８３）、Ｓ１８４に処理を進める。
【００９３】
スイッチ制御部２６は、Ｓ１８１で計算された累積受電電力量Ｅｉｎと現在の平準化目標値ｘとを比較し、累積受電電力量Ｅｉｎが平準化目標値ｘを下回っている場合には（Ｓ１８４：Ｎｏ）、処理をＳ１８６に進める。スイッチ制御部２６は、Ｓ１８１で計算された累積受電電力量Ｅｉｎが平準化目標値ｘ以上の場合には（Ｓ１８２：Ｙｅｓ）、スイッチ５に接続を切断する動作信号を出力し、スイッチ５は接続を切断する。このとき蓄電機は入力断を検出し、放電による負荷への給電を開始または継続する（Ｓ１８３）。
【００９４】
目標決定部２２が、デマンド時限タイマが満了しないと判別している間は（Ｓ１８６：Ｎｏ）、Ｓ１６６からＳ１８６の処理が繰り返される。目標決定部２２は、デマンド時限タイマが満了したことを判別すると（Ｓ１８６：Ｙｅｓ）、平準化周期タイマが満了したか否かを判別する（Ｓ１８７）。目標決定部２２が、平準化周期タイマが満了しないと判別している間は（Ｓ１８７：Ｎｏ）、Ｓ１６３からＳ１８７の処理が繰り返される。目標決定部２２は、平準化周期タイマが満了したことを判別すると（Ｓ１８７：Ｙｅｓ）、蓄電残量収支Ｂｄ＝Ｂ−Ｂ０を計算し（Ｓ１８８）、処理を平準化目標値ｘの決定処理２００に進める。このとき、現在の蓄電残量Ｂｒを最終蓄電残量Ｂとして記憶部２４に記憶させるようにしてもよい。
【００９５】
平準化目標値ｘの決定処理２００において、目標決定部２２は、蓄電残量最大値Ｂｍａｘ＜蓄電残量使用上限Ｂｕ、または、蓄電残量最小値Ｂｍｉｎ＜蓄電残量使用下限Ｂｌ、または、蓄電収支Ｂｄ＜０であるという条件に合致するか否かを判別する（Ｓ１８９）。判別結果が条件に合致する場合には、図２２に処理を進め（Ｓ１８９：Ｙｅｓ）、合致しない場合にはＳ１９０に処理を進める（Ｓ１８９：Ｎｏ）。蓄電残量最大値Ｂｍａｘ＞蓄電残量使用上限Ｂｕ、かつ、蓄電残量最小値Ｂｍｉｎ＞蓄電残量使用下限Ｂｌ、かつ、蓄電収支Ｂｄ＞０であるという条件に合致するか否かを判別する（Ｓ１９０）。判別結果が条件に合致する場合には、図２４に処理を進め、合致しない場合には図２０の処理に戻る。
【００９６】
図２２、図２３を参照しながら、第２の実施の形態による増加量決定処理について説明する。図２２は、増加量決定処理１４０を示すフローチャート、図２３は、増加量決定処理を説明する図である。図２２の処理において、Ｓ１１１からＳ１１３は、図１６のＳ１１１からＳ１１３と同一の処理である。すなわち、図２２に示すように、目標決定部２２は、変化基準値Ｂｘを上記式４により定める（Ｓ１１１）。
【００９７】
目標決定部２２は、変化量ｄｘ＝０．０１×Ｂｘ×Ｂｃ／Ｔ０とし（Ｓ１１２）、平準化目標値ｘ＝ｘ＋ｄｘと置き換える（Ｓ１１３）。目標決定部２２は、累積電力量最大値Ｅｍａｘが平準化目標値ｘ以上であるか否か判別し（Ｓ１１４）、Ｅｍａｘ≧ｘであれば（Ｓ１１４：Ｙｅｓ）、平準化目標値ｘ＝累積電力量最大値Ｅｍａｘに設定し（Ｓ１１５）、図８の処理に戻る。Ｅｍａｘ≧ｘでなければ（Ｓ１１４：Ｎｏ）、そのまま図８の処理に戻る。
【００９８】
ここで、図２３を参照しながら、累積電力量最大値Ｅｍａｘを平準化目標値ｘに設定する場合について説明する。図２３は、２つの連続した平準化周期Ｔ０における累積電力量Ｅｉｎ、負荷電力Ｐｌ、および蓄電残量Ｂｒの変化の一例を示している。図２３において、横軸は時間、縦軸は電力、電力量、および蓄電残量である。ここでは、累積電力量Ｅｉｎ、蓄電残量Ｂｒに注目する。
【００９９】
目標決定部２２は、Ｓ１１１に示したように、記憶部２４に格納された蓄電残量Ｂｒを参照して式４に基づき算出した変化基準値Ｂｘを算出する。図２３には、１周期目の平準化周期Ｔ０において算出された変化基準値Ｂｘ＝収支不足分＝−Ｂｄが示されている。例えば、この変化基準値Ｂｘに基づき算出された変化量ｄｘ＝０．４２％であると算出されたとする。一方、この１周期目の平準化周期Ｔ０においては、平準化目標値ｘより高い累積電力量最大値Ｅｍａｘが発生している。この累積電力量最大値Ｅｍａｘは、次の平準化目標値となるｘ＋ｄｘ＝ｘ＋０．４２（％）よりも高いとする。
【０１００】
ところで、本実施の形態による電力平準化システム１では、前日の累積電力量Ｅｉｎにおける累積電力量最大値Ｅｍａｘに基づき以後の１年間の契約電力量として基本料金を決定するデマンド契約を採用する場合がある。この場合、前日の累積電力量最大値Ｅｍａｘは、以後１年間影響する。よって、前日以前の累積電力量最大値Ｅｍａｘよりも高いピーク電力量が発生した直後では、ピークを下げるより、その値を超えないようにすることが重要である。よって、基本方式により決定した目標値が、前日のピーク電力量を下回る場合、目標値を前日のピーク電力量の値にする。よって、図２２のＳ１１５の処理のように、平準化目標値ｘ＝累積電力量最大値Ｅｍａｘとする。
【０１０１】
なお、厳密には、前日の累積電力量最大値Ｅｍａｘを超えないようにするため、適用する値は以下の式６とすることもできる。
次回平準化目標値（ｘ＋ｄｘ）＝今回の累積電力量最大値Ｅｍａｘ−今回の累積電力量最大値Ｅｍａｘ×監視時間Ｔ２／デマンド時限Ｔ１・・・（式６）
このような構成により、累積電力量Ｅｉｎのピークを抑制することができ、前回の累積電力量最大値Ｅｍａｘを越えることを防止できる。
【０１０２】
次に、図２４、図２５を参照しながら平準化目標値ｘの減少量決定処理について説明する。図２４は、平準化目標値ｘの減少量決定の処理１５０を示すフローチャート、図２５は、平準化目標値ｘの減少量決定の処理を説明する図である。図２４に示すように、目標決定部２２は、変化基準値Ｂｘを上記式５により定める（Ｓ１２１）。
【０１０３】
図２５において、横軸は時間、縦軸は電力、電力量、および蓄電残量である。図２５は、２つの連続する平準化周期Ｔ０における累積電力量Ｅｉｎ、負荷電力Ｐｌ、および蓄電残量Ｂｒの変化の一例を示している。ここでは、蓄電残量Ｂｒに注目する。図２５の例では、蓄電残量Ｂｒは全期間を通してほぼ１００％に近い値となっており、蓄電残量使用上限Ｂｕが約８５％、蓄電残量使用下限Ｂｌが約３０％であることを考えると、残量過多分＜最小値余裕分＝Ｂｍｉｎ−Ｂｌである。このため図２５には、図２４のＳ１２１の判定における残量過多分＝Ｂｍａｘ―Ｂｕが示されている。
【０１０４】
図２４に戻って、目標決定部２２は、記憶部２４に格納された蓄電残量Ｂｒを参照し、残量過多分を蓄電残量Ｂｒの過多分として、平準化目標値ｘを変化させるための変化基準量Ｂｘと判定する。そして、目標決定部２２は、変化量ｄｘ＝０．０１×Ｂｘ×Ｂｃ／Ｔ０とし（Ｓ１２２）、平準化目標値ｘ＝ｘ−ｄｘと置き換え、Ｓ１２４の処理に進む（Ｓ１２３）。
【０１０５】
目標決定部２２は、蓄電残量最大値Ｂｍａｘ＝蓄電残量最小値Ｂｍｉｎ、かつ、累積電力量最大値Ｅｍａｘ≦平準化目標値ｘの条件に合致するか否か判別する（Ｓ１２４）。条件に合致する場合には、目標決定部２２は、平準化目標値ｘ＝累積電力量最大値Ｅｍａｘと設定し（Ｓ１２５）、条件に合致しない場合にはそのまま図２０の処理に戻る。
【０１０６】
図２５の例では、初めの平準化周期Ｔ０において、平準化周期Ｔ０を通して常時満充電状態である。すなわち、平準化周期Ｔ０において充放電が一切発生していないことを意味し、蓄電残量Ｂｒからだけでは過多分を推定することは出来ない。可能性としては、平準化目標値ｘが大き過ぎる場合も、このような、充放電が発生しない状態となる。
【０１０７】
図２５の初めの平準化周期Ｔ０の場合、常時満充電状態であるが、第１の実施の形態およびその変形例による方式により決定した平準化目標値ｘが、例えばｄｘ＝０．１３（％）であるとする。一方、初めの平準化周期Ｔ０において、累積電力量最大値Ｅｍａｘが平準化目標値ｘを上回る量は、４．５％であるとする。このとき、第１の実施の形態およびその変形例により決定する平準化目標値ｘでは、前日のピーク電力量を上回る。これが、図２４のＹｅｓの場合であり、目標決定部２２は、次の平準化周期Ｔ０の平準化目標値ｘを、直前の平準化周期Ｔ０の累積電力量最大値Ｅｍａｘの値にする。
【０１０８】
なお、厳密には、平準化目標初期値決定方法と同様に、適用する値は、以下の式７によることもできる。
次回平準化目標値（ｘ−ｄｘ）＝今回の累積電力量最大値Ｅｍａｘ−今回の累積電力量最大値Ｅｍａｘ×監視時間Ｔ２／デマンド時限Ｔ１・・・（式７）
【０１０９】
このような構成により、累積電力量Ｅｉｎのピークを抑制することができ、前回の累積電力量最大値Ｅｍａｘを越えることを防止できる。なお、蓄電機１１の放電を、目標決定部２２は、スイッチ５の状態に基づき検出し、放電実績を記憶部２４に格納するようにしてもよい。また、目標決定部２２は、受電電力Ｐｉnを記憶部２４に格納し、格納した受電電力Ｐｉｎに基づき波高値ＣＦを算出し、波高値ＣＦに基づき放電の有無を判別するようにしてもよい。
【０１１０】
以上説明したように、第２の実施の形態による電力平準化システム１によれば、次の平準化周期Ｔ０における平準化目標値ｘの変化量ｄｘを蓄電残量Ｂｒの平準化周期Ｔ０における蓄電残量最大値Ｂｍａｘ、蓄電残量最小値Ｂｍｉｎ、および蓄電収支Ｂｄのうちの少なくとも１つに基づき算出し、次の平準化周期Ｔ０における平準化目標値ｘを変更する。
【０１１１】
例えば、増加させる場合には、目標決定部２２は、最小値不足分＝Ｂｌ−Ｂｍｉｎか、収支不足分＝０−Ｂｄの大きい方に基づいて、平準化目標値ｘを増加させる。または、Ｂｘ＝ｍａｘ（ｍｉｎ（ｍａｘ（１００−Ｂｍａｘ，Ｂｌ），Ｂｌ−Ｂｍｉｎ，−Ｂｄ）に基づいて平準化目標値ｘを増加させる。減少させる場合には、目標決定部２２は、残量過多分＝Ｂｍａｘ―Ｂｕと最小値余裕分＝Ｂｍｉｎ−Ｂｌとの間の小さい方に基づいて、平準化目標値ｘを減少させる。
【０１１２】
このように、平準化目標値ｘを変化させることにより変化する蓄電機１１の充電電力量と変化する放電電力量との和が平準化目標値ｘを変化させることにより変化する電力量と等しくなるように、平準化目標値ｘを変化させる。これにより、電力平準化システム１は、変動負荷１３の状態に適した平準化制御を行うことが可能になる。
【０１１３】
このとき、蓄電残量Ｂｒの過不足度合いにより変化量ｄｘが決定されるので、次の平準化周期Ｔ０において、電源３や変動負荷１３の状況に適した平準化目標値ｘとなりやすい。よって、受電電力Ｐｉｎのピークを削減でき、蓄電機１１の残量不足による受電電力の上昇や、平準化周期Ｔ０の終了時までに必要な蓄電残量Ｂｒを確保できないという事態を防止できる。よって、蓄電機１１の過不足による平準化効果の劣化を防止でき、電力平準化システム１を平準化効果の高いシステムとすることができる。
【０１１４】
さらに、上記の方法により増加させる次の平準化目標値ｘ＋ｄｘと、今回の累積電力量最大値Ｅｍａｘとを比較し、累積電力量最大値Ｅｍａｘの方が大きい場合には、次の平準化目標値ｘを累積電力量最大値Ｅｍａｘに基づく値に設定する。このように、累積電力量Ｅｉｎの遷移を代表する値として、累積電力量最大値Ｅｍａｘを参照することにより、変化量ｄｘを決定する。これにより、次の平準化周期Ｔ０に今回の累積電力量最大値Ｅｍａｘを超えるピーク電力量が発生することを防止できる。
【０１１５】
平準化周期Ｔ０における蓄電残量最大値Ｂｍａｘ＝蓄電残量最小値Ｂｍｉｎの場合には、上記の方法により減少させる次の平準化目標値のための変化量ｄｘと、今回の累積電力量最大値Ｅｍａｘと平準化目標値ｘとの差を比較し、大きい方を変化量ｄｘとする。このように、累積電力量Ｅｉｎの遷移を代表する値として、累積電力量最大値Ｅｍａｘおよび累積電力量最小値Ｅｍｉｍを参照することにより、変化量ｄｘを決定する。これにより、平準化周期Ｔ０において一度も放電が発生せず蓄電残量Ｂｒが変化しない場合にも、次の平準化目標値ｘを変動負荷１３の状況に適した値に決定することができる。
【０１１６】
尚、第２の実施の形態において、平準化目標値増加条件と、増加時の変化基準量Ｂｘの判定条件の選び方、または、平準化目標値減少条件と、減少時の変化基準量Ｂｘの判定条件の選び方によっては、Ｂｘが負になる場合があるが、このときはＢｘ＝０とすることが好ましい。
【０１１７】
上記第１の実施の形態および変形例、並びに第２の実施の形態において、目標決定部２２は、蓄電残量取得部、目標決定部、および電力計算部の一例であり、記憶部２４は、電力記憶部の一例である。
【０１１８】
ここで、以上説明した第１の実施の形態、その変形例、および第２の実施の形態による平準化制御をコンピュータに行わせるために共通に適用されるコンピュータの例について説明する。図２６は、標準的なコンピュータのハードウエア構成の一例を示すブロック図である。図２６に示すように、コンピュータ３００は、Ｃｅｎｔｒａｌ  Ｐｒｏｃｅｓｓｉｎｇ  Ｕｎｉｔ（ＣＰＵ）３０２、メモリ３０４、入力装置３０６、出力装置３０８、外部記憶装置３１２、媒体駆動装置３１４、ネットワーク接続装置３１８等がバス３１０を介して接続されている。
【０１１９】
ＣＰＵ３０２は、コンピュータ３００全体の動作を制御する演算処理装置である。メモリ３０４は、コンピュータ３００の動作を制御するプログラムを予め記憶したり、プログラムを実行する際に必要に応じて作業領域として使用したりするための記憶部である。メモリ３０４は、例えばＲａｎｄｏｍ  Ａｃｃｅｓｓ  Ｍｅｍｏｒｙ（ＲＡＭ）、Ｒｅａｄ  Ｏｎｌｙ  Ｍｅｍｏｒｙ（ＲＯＭ）等である。入力装置３０６は、コンピュータの使用者により操作されると、その操作内容に対応付けられている使用者からの各種情報の入力を取得し、取得した入力情報をＣＰＵ３０２に送付する装置であり、例えばキーボード装置、マウス装置などである。出力装置３０８は、コンピュータ３００による処理結果を出力する装置であり、表示装置などが含まれる。例えば表示装置は、ＣＰＵ３０２により送付される表示データに応じてテキストや画像を表示する。
【０１２０】
外部記憶装置３１２は、例えば、ハードディスクなどの記憶装置であり、ＣＰＵ３０２により実行される各種制御プログラムや、取得したデータ等を記憶しておく装置である。媒体駆動装置３１４は、可搬記録媒体３１６に書き込みおよび読み出しを行うための装置である。ＣＰＵ３０２は、可搬型記録媒体３１６に記録されている所定の制御プログラムを、記録媒体駆動装置３１４を介して読み出して実行することによって、各種の制御処理を行うようにすることもできる。可搬記録媒体３１６は、例えばＣｏｎｐａｃｔ  Ｄｉｓｃ（ＣＤ）−ＲＯＭ、Ｄｉｇｉｔａｌ  Ｖｅｒｓａｔｉｌｅ  Ｄｉｓｃ（ＤＶＤ）、Ｕｎｉｖｅｒｓａｌ  Ｓｅｒｉａｌ  Ｂｕｓ（ＵＳＢ）メモリ等である。ネットワーク接続装置３１８は、有線または無線により外部との間で行われる各種データの授受の管理を行うインタフェース装置である。バス３１０は、上記各装置等を互いに接続し、データのやり取りを行う通信経路である。
【０１２１】
上記第１の実施の形態、その変形例１、変形例２、および第２の実施の形態による平準化制御をコンピュータ３００に実行させるプログラムは、例えば外部記憶装置３１２に記憶される。ＣＰＵ３０２は、外部記憶装置３１２からプログラムを読み出し、電力平準化制御の動作を行う。このとき、まず、平準化制御の処理をＣＰＵ３０２に行わせるための制御プログラムを作成して外部記憶装置３１２に記憶させておく。そして、入力装置３０６から所定の指示をＣＰＵ３０２に与えて、この制御プログラムを外部記憶装置３１２から読み出させて実行させるようにする。また、このプログラムは、可搬記録媒体３１６に記憶するようにしてもよい。
【０１２２】
なお、本発明は、以上に述べた実施の形態に限定されるものではなく、本発明の要旨を逸脱しない範囲内で種々の構成または実施形態を採ることができる。例えば、平準化目標値ｘの変化量ｄｘは、第１の実施の形態およびその変形例、ならびに第２の実施の形態による決定方法に限定されない。蓄電残量Ｂｒの遷移を代表する値に基づいて決定される変化量ｄｘは、例えば、平準化周期Ｔ０における前記蓄電残量の最大値、最小値、および最初の値と最後の値の差分のうちの少なくとも１つに基づいて決定されるようにすればよい。
【０１２３】
変化量ｄｘを決定する際に参照する電力については、電源３からの受電電力を累積した累積電力量Ｅｉｎを参照する例について説明したが、電源３からの受電電力Ｐｉｎを所定時間当たりで平均した量を用いてもよい。また、変動負荷１３の消費電力を所定時間当たりで平均した量や、所定時間累積した電力量を参照するようにしてもよい。
【０１２４】
変化量ｄｘのうちの増加量、減少量は、上記の第１の実施の形態およびその変形例、ならびに第２の実施の形態において説明した組み合わせに限定されず、どのように組み合わせて用いてもよい。また、平準化目標値ｘを増加させるか減少させるかの決定は、第１の実施の形態において説明した決定方法を他の変形例および実施形態にも適用可能である。
【０１２５】
拡張蓄電残量Ｂｒ’については、蓄電残量Ｂｒに余裕がない場合には、この値をそのまま適用しても不足を補えない場合がある。このような場合には、実際のＢｒに基づく「蓄電残量最小値が使用下限を下回った分」を適用するようにしてもよい。
【０１２６】
さらに、上記いずれかの実施の形態において、平準化制御部２０は、マイクロコントローラのようなハードウエアとして実現されるようにしてもよい。
【符号の説明】
【０１２７】
１        電力平準化システム
３        電源
５        スイッチ
７        蓄電装置
９        受電電力計測部
１１      蓄電機
１２      蓄電残量計測部
１３      変動負荷
２０      平準化制御部
２２      目標決定部
２４      記憶部
２６      スイッチ制御部
２７      矢印
２９      矢印
Ｂｌ      蓄電残量使用下限
Ｂｕ      蓄電残量使用上限
Ｂｒ      蓄電残量
Ｐｉｎ    受電電力
Ｅｉｎ    累積電力量
Ｂｍｉｎ  蓄電残量最小値
Ｂｍａｘ  蓄電残量最大値
Ｂ        最終蓄電残量
Ｔ０      平準化周期
Ｂｄ      蓄電収支
ｘ        平準化目標値
ｄｘ      変化量
Ｂｘ      変化基準値
Ｅｍａｘ  累積電力量最大値 

【図１】
2013027272.tif 000003
【図２】
2013027272.tif 000004
【図３】
2013027272.tif 000005
【図４】
2013027272.tif 000006
【図５】
2013027272.tif 000007
【図６】
2013027272.tif 000008
【図７】
2013027272.tif 000009
【図８】
2013027272.tif 000010
【図９】
2013027272.tif 000011
【図１０】
2013027272.tif 000012
【図１１】
2013027272.tif 000013
【図１２】
2013027272.tif 000014
【図１３】
2013027272.tif 000015
【図１４】
2013027272.tif 000016
【図１５】
2013027272.tif 000017
【図１６】
2013027272.tif 000018
【図１７】
2013027272.tif 000019
【図１８】
2013027272.tif 000020
【図１９】
2013027272.tif 000021
【図２０】
2013027272.tif 000022
【図２１】
2013027272.tif 000023
【図２２】
2013027272.tif 000024
【図２３】
2013027272.tif 000025
【図２４】
2013027272.tif 000026
【図２５】
2013027272.tif 000027
【図２６】
2013027272.tif 000028
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
電源が、蓄電装置および負荷と接続されたシステムにおいて、前記電源から供給する電力を平準化する電力平準化制御装置であって、
前記蓄電装置の蓄電残量を監視時間毎に取得する蓄電残量取得部と、
前記負荷の電力需要の高い期間と低い期間とが交互に発生すると予測される周期の終了時に、前記蓄電残量取得部が取得した前記蓄電残量を基に、前記周期の前記蓄電残量の遷移を代表する蓄電残量代表値を算出し、前記蓄電残量代表値に基づき、現在の平準化目標値に対する変化量を決定することにより前記変化量分変化させた次の前記周期で用いる電力平準化のための平準化目標値を決定する目標決定部と、
前記目標決定部により決定された次の前記周期で用いる電力平準化のための平準化目標値を基に、前記電源及び前記蓄電装置から前記負荷へ供給する電力を制御する制御部と
を有することを特徴とする電力平準化制御装置。
【請求項２】
前記目標決定部は、
前記平準化周期における前記蓄電残量代表値として、前記蓄電残量の最大値、最小値、最初の値、および最後の値のうちの少なくとも１つを算出し、
抽出した値に基づき、前記最大値と予め決められた第１の閾値との第１の差分、前記最小値と予め決められた第２の閾値との第２の差分、および前記最初の値と前記最後の値との第３の差分のうちの少なくとも１つを算出し、
算出した前記差分を平準化周期で除した値を現在の値に対する変化量と決定することにより次の周期で用いる平準化目標値を決定することを特徴とする請求項１に記載の電力平準化制御装置。
【請求項３】
前記第１の閾値は、前記蓄電残量使用上限であり、前記第２の閾値は、蓄電残量使用下限であることを特徴とする請求項２に記載の電力平準化制御装置。
【請求項４】
前記電源からの受電電力、前記受電電力を監視時間毎に予め決められた単位時間まで累積した累積受電電力量、前記負荷で消費される消費電力および前記消費電力を予め決められた単位時間まで累積した累積消費電力量の少なくともいずれか一つを取得する電力取得部と、
取得された前記受電電力、前記累積受電電力量、前記消費電力、および前記消費電力量のいずれか少なくとも一つから、それぞれの単位時間当たりの平均電力または電力量を計算する電力計算部と、
計算された前記平均電力または電力量を記憶する電力記憶部と、
をさらに有し
前記目標決定部は、さらに前記電力記憶部が記憶した前記平均電力または前記電力量の内の前記平均電力または前記電力量の遷移を代表する値に基づき、次の前記周期で用いる電力平準化のための平準化目標値の現在の平準化目標値に対する変化量を決定することにより次の周期で用いる平準化目標値を決定することを特徴とする請求項1から請求項３のいずれかに記載の電力平準化制御装置。
【請求項５】
前記目標決定部は、前記周期の前記蓄電残量代表値に基づく第１の変化量候補と、前記周期の前記平均電力または前記平均電力量の遷移を代表する値に基づく第２の変化量候補とのいずれか大きいほうを前記変化量として決定することにより次の周期で用いる平準化目標値を決定することを特徴とする請求項４に記載の電力平準化制御装置。
【請求項６】
前記目標決定部は、前記電力記憶部が記憶した単位時間当たりの平均電力または単位時間当たりの電力量の内の前記平均電力の最大値または前記電力量の最大値に基づき、次の前記周期で用いる電力平準化のための平準化目標値の現在の平準化目標値に対する変化量を決定することにより次の周期で用いる平準化目標値を決定することを特徴とする請求項４または請求項５に記載の電力平準化制御装置。
【請求項７】
前記目標決定部は、前記電力記憶部が記憶した単位時間当たりの平均電力の最大値または単位時間当たりの電力量の最大値と、前記平準化目標値の現在の値との差を、次の前記周期で用いる電力平準化のための平準化目標値の現在の平準化目標値に対する変化量と決定することにより次の周期で用いる平準化目標値を決定することを特徴とする請求項６に記載の電力平準化制御装置。
【請求項８】
電源が、蓄電装置および負荷と接続されたシステムにおいて、前記電源から供給する電力を平準化する電力平準化制御方法であって、
前記蓄電装置の蓄電残量を監視時間毎に取得し、
前記負荷の電力需要の高い期間と低い期間とが交互に発生すると予測される周期の終了時に、取得した前記蓄電残量を基に、前記周期の前記蓄電残量の遷移を代表する蓄電残量代表値を算出し、前記蓄電残量代表値に基づき、現在の平準化目標値に対する変化量を決定することにより前記変化量分変化させた次の前記周期で用いる電力平準化のための平準化目標値を決定し、
決定された前記変化量分変化させた次の前記周期で用いる電力平準化のための平準化目標値を基に、前記電源及び前記蓄電装置から前記負荷へ供給する電力を制御することを特徴とする電力平準化制御方法。
【手続補正２】
【補正対象書類名】明細書
【補正対象項目名】００２８
【補正方法】変更
【補正の内容】
【００２８】
上記のような電力平準化システム１において、蓄電残量Ｂｒの平準化周期Ｔ０における変化を基に平準化目標値ｘを決定する電力平準化制御は、以下の基準入力要素を必要とする。すなわち、平準化周期Ｔ０における蓄電残量最大値Ｂｍａｘ、蓄電残量最小値Ｂｍｉｎ、最終蓄電残量Ｂ、および蓄電残量収支Ｂｄである。最終蓄電残量Ｂは、平準化周期終了時での蓄電残量Ｂｒ、蓄電残量収支Ｂｄは、平準化周期開始時と終了時の蓄電残量Ｂｒの差分である。
【手続補正３】
【補正対象書類名】明細書
【補正対象項目名】００３７
【補正方法】変更
【補正の内容】
【００３７】
図８に示すように、目標決定部２２において、予め電力平準化制御の初期パラメータ設定が行われる。すなわち平準化周期Ｔ０、デマンド時限Ｔ１、監視時間Ｔ２、平準化周期開始時刻が設定され、記憶部２４に格納される。また、平準化目標値決定制御の為の蓄電残量使用上限Ｂｕ（％）、蓄電残量使用下限Ｂｌ（％）、平準化目標値の初期値ｘ＝ｘ０（Ｗｈ）、蓄電容量Ｂｃ（Ｗｈ）が設定され、記憶部２４に格納される（Ｓ５２）。
【手続補正４】
【補正対象書類名】明細書
【補正対象項目名】００４３
【補正方法】変更
【補正の内容】
【００４３】
Ｓ９０において、目標決定部２２は、蓄電残量最大値Ｂｍａｘ＜蓄電残量使用上限Ｂｕ、または、蓄電残量最小値Ｂｍｉｎ＜蓄電残量使用下限Ｂｌ、または、蓄電残量収支Ｂｄ＜０であるという条件に合致するか否かを判別する（Ｓ８７）。判別結果が条件に合致する場合には、目標決定部２２は、平準化目標値ｘを増加させると判断して図１１に処理を進め、合致しない場合にはＳ８８に処理を進める。
【手続補正５】
【補正対象書類名】明細書
【補正対象項目名】００４４
【補正方法】変更
【補正の内容】
【００４４】
目標決定部２２は、蓄電残量最大値Ｂｍａｘ＞蓄電残量使用上限Ｂｕ、かつ、蓄電残量最小値Ｂｍｉｎ＞蓄電残量使用下限Ｂｌ、かつ、蓄電残量収支Ｂｄ＞０であるという条件に合致するか否かを判別する（Ｓ８８）。判別結果が条件に合致する場合には（Ｓ８８：Ｙｅｓ）、目標決定部２２は、平準化目標値ｘを減少させると判断して、図１３に処理を進める。判別結果が条件に合致しない場合には、目標決定部２２は平準化目標値ｘを変更せず、図８の処理に戻る。
【手続補正６】
【補正対象書類名】明細書
【補正対象項目名】００４７
【補正方法】変更
【補正の内容】
【００４７】
減少条件）平準化目標値ｘを減少させる場合
条件１ａ）  蓄電残量最大値Ｂｍａｘ＞蓄電残量使用上限Ｂｕ
条件１ｂ）  蓄電残量最小値Ｂｍｉｎ＞蓄電残量使用下限Ｂｌ
条件１ｃ）  蓄電残量収支Ｂｄ＞０
条件１ｄ）  最終蓄電残量Ｂ＞蓄電残量使用上限Ｂｕ
増加条件）平準化目標値ｘを増加させる場合
条件２ａ）  蓄電残量最大値Ｂｍａｘ＜蓄電残量使用上限Ｂｕ
条件２ｂ）  蓄電残量最小値Ｂｍｉｎ＜蓄電残量使用下限Ｂｌ
条件２ｃ）  蓄電残量収支Ｂｄ＜０
条件２ｄ）  最終蓄電残量Ｂ＜蓄電残量使用上限Ｂｕ
【手続補正７】
【補正対象書類名】明細書
【補正対象項目名】００４８
【補正方法】変更
【補正の内容】
【００４８】
上記、減少条件について４通り、増加条件について４通りの条件から、決定条件としてそれぞれ少なくとも一つを選ぶ。複数の条件を選んだ場合には、それらの論理和または論理積をとる。本変形例においては、例えば蓄電容量に充分な余裕がない場合について、停電を避けるため、平準化目標値ｘを増加させる増加条件を優先することにし、減少条件においては論理積、増加条件では論理和をとることにする。このようにすると、減少条件について１５通り、増加条件について１５通りの条件が得られる。さらに、減少条件に当てはまるか否か、すなわち、平準化目標値ｘを減少させる条件に当てはまるか否かを先に判別する場合と、増加条件に当てはまるか否かを先に判別する場合とを考慮すると、１５×１５×２＝４５０通りの条件が得られる。これらの条件は全て、電力平準化システム１において適用可能であり、第１の実施の形態に含まれる。
【手続補正８】
【補正対象書類名】明細書
【補正対象項目名】００５０
【補正方法】変更
【補正の内容】
【００５０】
次に、図１１から図１３を参照しながら、平準化目標値ｘの増加量決定処理について説明する。図１１は、平準化目標値ｘの増加量決定処理を示すフローチャート、図１２は、拡張蓄電残量について説明する図、図１３は、平準化目標値ｘの増加量決定の処理を説明する図である。図１１に示すように、増加量決定処理１００において目標決定部２２は、蓄電残量使用下限Ｂｌ−蓄電残量最小値Ｂｍｉｎ≧０−蓄電残量収支Ｂｄであるか否か判別する（Ｓ９１）。
【手続補正９】
【補正対象書類名】明細書
【補正対象項目名】００５４
【補正方法】変更
【補正の内容】
【００５４】
Ｂｌｉｍ＝１００×Ｐｍａｘ（Ｗ）×Ｔ２（ｈ）／Ｂｃ（Ｗｈ）＋δ  （％）・・・（式１）
ここで、Ｂｃは、蓄電容量である。このように、図１２における領域１２Ａでは、蓄電残量Ｂｒが蓄電残量許容下限Ｂｌｉｍ以下になっており、事実上蓄電残量Ｂｒがない状態になっている。
【手続補正１０】
【補正対象書類名】明細書
【補正対象項目名】００６５
【補正方法】変更
【補正の内容】
【００６５】
以上説明したように、第１の実施の形態による電力平準化システム１によれば、次の平準化周期Ｔ０における平準化目標値ｘの変化量ｄｘを蓄電残量Ｂｒの平準化周期Ｔ０における蓄電残量最大値Ｂｍａｘ、蓄電残量最小値Ｂｍｉｎ、および蓄電残量収支Ｂｄのうちの少なくとも１つに基づき算出し、次の平準化周期Ｔ０における平準化目標値ｘを変更する。
【手続補正１１】
【補正対象書類名】明細書
【補正対象項目名】００８３
【補正方法】変更
【補正の内容】
【００８３】
目標決定部２２は、変化量ｄｘ＝０．０１×Ｂｘ×Ｂｃ／Ｔ０とし（Ｓ１２２）、平準化目標値ｘ＝ｘ−ｄｘと置き換え、図８の処理に戻る（Ｓ１２３）。
以上説明したように、本変形例によれば、次の平準化周期Ｔ０における平準化目標値ｘの変化量ｄｘを蓄電残量Ｂｒの平準化周期Ｔ０における蓄電残量最大値Ｂｍａｘ、蓄電残量最小値Ｂｍｉｎ、蓄電残量収支Ｂｄ、および蓄電残量使用下限Ｂｌのうちの少なくとも１つに基づき算出し、次の平準化周期Ｔ０における平準化目標値ｘを変更する。
【手続補正１２】
【補正対象書類名】明細書
【補正対象項目名】００９５
【補正方法】変更
【補正の内容】
【００９５】
平準化目標値ｘの決定処理２００において、目標決定部２２は、蓄電残量最大値Ｂｍａｘ＜蓄電残量使用上限Ｂｕ、または、蓄電残量最小値Ｂｍｉｎ＜蓄電残量使用下限Ｂｌ、または、蓄電残量収支Ｂｄ＜０であるという条件に合致するか否かを判別する（Ｓ１８９）。判別結果が条件に合致する場合には、図２２に処理を進め（Ｓ１８９：Ｙｅｓ）、合致しない場合にはＳ１９０に処理を進める（Ｓ１８９：Ｎｏ）。蓄電残量最大値Ｂｍａｘ＞蓄電残量使用上限Ｂｕ、かつ、蓄電残量最小値Ｂｍｉｎ＞蓄電残量使用下限Ｂｌ、かつ、蓄電残量収支Ｂｄ＞０であるという条件に合致するか否かを判別する（Ｓ１９０）。判別結果が条件に合致する場合には、図２４に処理を進め、合致しない場合には図２０の処理に戻る。
【手続補正１３】
【補正対象書類名】明細書
【補正対象項目名】０１１０
【補正方法】変更
【補正の内容】
【０１１０】
以上説明したように、第２の実施の形態による電力平準化システム１によれば、次の平準化周期Ｔ０における平準化目標値ｘの変化量ｄｘを蓄電残量Ｂｒの平準化周期Ｔ０における蓄電残量最大値Ｂｍａｘ、蓄電残量最小値Ｂｍｉｎ、および蓄電残量収支Ｂｄのうちの少なくとも１つに基づき算出し、次の平準化周期Ｔ０における平準化目標値ｘを変更する。
【手続補正１４】
【補正対象書類名】明細書
【補正対象項目名】０１１５
【補正方法】変更
【補正の内容】
【０１１５】
平準化周期Ｔ０における蓄電残量最大値Ｂｍａｘ＝蓄電残量最小値Ｂｍｉｎの場合には、上記の方法により減少させる次の平準化目標値のための変化量ｄｘと、今回の累積電力量最大値Ｅｍａｘと平準化目標値ｘとの差を比較し、大きい方を変化量ｄｘとする。このように、累積電力量Ｅｉｎの遷移を代表する値として、累積電力量最大値Ｅｍａｘおよび累積電力量最小値Ｅｍｉｎを参照することにより、変化量ｄｘを決定する。これにより、平準化周期Ｔ０において一度も放電が発生せず蓄電残量Ｂｒが変化しない場合にも、次の平準化目標値ｘを変動負荷１３の状況に適した値に決定することができる。
【手続補正１５】
【補正対象書類名】明細書
【補正対象項目名】０１２１
【補正方法】変更
【補正の内容】
【０１２１】
上記第１の実施の形態、その変形例、および第２の実施の形態による平準化制御をコンピュータ３００に実行させるプログラムは、例えば外部記憶装置３１２に記憶される。ＣＰＵ３０２は、外部記憶装置３１２からプログラムを読み出し、電力平準化制御の動作を行う。このとき、まず、平準化制御の処理をＣＰＵ３０２に行わせるための制御プログラムを作成して外部記憶装置３１２に記憶させておく。そして、入力装置３０６から所定の指示をＣＰＵ３０２に与えて、この制御プログラムを外部記憶装置３１２から読み出させて実行させるようにする。また、このプログラムは、可搬記録媒体３１６に記憶するようにしてもよい。
【手続補正１６】
【補正対象書類名】明細書
【補正対象項目名】符号の説明
【補正方法】変更
【補正の内容】
【符号の説明】
１        電力平準化システム
３        電源
５        スイッチ
７        蓄電装置
９        受電電力計測部
１１      蓄電機
１２      蓄電残量計測部
１３      変動負荷
２０      平準化制御部
２２      目標決定部
２４      記憶部
２６      スイッチ制御部
２７      矢印
２９      矢印
Ｂｌ      蓄電残量使用下限
Ｂｕ      蓄電残量使用上限
Ｂｒ      蓄電残量
Ｐｉｎ    受電電力
Ｅｉｎ    累積電力量
Ｂｍｉｎ  蓄電残量最小値
Ｂｍａｘ  蓄電残量最大値
Ｂ        最終蓄電残量
Ｔ０      平準化周期
Ｂｄ      蓄電残量収支
ｘ        平準化目標値
ｄｘ      変化量
Ｂｘ      変化基準値
Ｅｍａｘ  累積電力量最大値
【手続補正１７】
【補正対象書類名】図面
【補正対象項目名】図４
【補正方法】変更
【補正の内容】
【図４】
2013027272.tif 000029
【手続補正１８】
【補正対象書類名】図面
【補正対象項目名】図５
【補正方法】変更
【補正の内容】
【図５】
2013027272.tif 000030
【手続補正１９】
【補正対象書類名】図面
【補正対象項目名】図６
【補正方法】変更
【補正の内容】
【図６】
2013027272.tif 000031
【手続補正２０】
【補正対象書類名】図面
【補正対象項目名】図１０
【補正方法】変更
【補正の内容】
【図１０】
2013027272.tif 000032
【手続補正２１】
【補正対象書類名】図面
【補正対象項目名】図１１
【補正方法】変更
【補正の内容】
【図１１】
2013027272.tif 000033
【手続補正２２】
【補正対象書類名】図面
【補正対象項目名】図１２
【補正方法】変更
【補正の内容】
【図１２】
2013027272.tif 000034
【手続補正２３】
【補正対象書類名】図面
【補正対象項目名】図１３
【補正方法】変更
【補正の内容】
【図１３】
2013027272.tif 000035
【手続補正２４】
【補正対象書類名】図面
【補正対象項目名】図１４
【補正方法】変更
【補正の内容】
【図１４】
2013027272.tif 000036
【手続補正２５】
【補正対象書類名】図面
【補正対象項目名】図１５
【補正方法】変更
【補正の内容】
【図１５】
2013027272.tif 000037
【手続補正２６】
【補正対象書類名】図面
【補正対象項目名】図１７
【補正方法】変更
【補正の内容】
【図１７】
2013027272.tif 000038
【手続補正２７】
【補正対象書類名】図面
【補正対象項目名】図１８
【補正方法】変更
【補正の内容】
【図１８】
2013027272.tif 000039
【手続補正２８】
【補正対象書類名】図面
【補正対象項目名】図２１
【補正方法】変更
【補正の内容】
【図２１】
2013027272.tif 000040
【手続補正２９】
【補正対象書類名】図面
【補正対象項目名】図２３
【補正方法】変更
【補正の内容】
【図２３】
2013027272.tif 000041
【手続補正３０】
【補正対象書類名】図面
【補正対象項目名】図２５
【補正方法】変更
【補正の内容】
【図２５】
2013027272.tif 000042
【国際調査報告】
2013027272.tif 000043
2013027272.tif 000044